(57)【要約】      （修正有）【課題】マシンタイプ通信（ＭＴＣ）デバイスを含む、デバイス間の通信のための狭帯域依存サブフレーム利用方法、システム及びデバイスを提供する。【解決手段】ワイヤレス通信のための方法であって、ユーザ機器（ＵＥ）と基地局とが、複数の狭帯域領域を含むキャリアを介して通信リンクを確立する。デバイスの一方または両方が、狭帯域領域の各々に関連するサブフレーム利用可能性を決定し、利用可能性に従って領域のうちの１つまたは複数上で通信する。いくつかの場合には、利用可能性は、キャリアの全帯域幅の一部分をカバーする基準信号（たとえば、測位基準信号（ＰＲＳ）または発見基準シングル（ＤＲＳ））の存在など、チャネル構成に依存し、いくつかの場合には、送信時間間隔（ＴＴＩ）バンドリングまたは周波数ホッピングが、サブフレーム利用可能性に依存する。【選択図】図４
2020174385.tif 000002
【特許請求の範囲】
【請求項１】
ワイヤレス通信の方法であって、
第１の狭帯域領域と第２の狭帯域領域とを備えるキャリアを介して通信リンクを確立することと、
前記第１の狭帯域領域のための第１のサブフレーム利用可能性と前記第２の狭帯域領域のための第２のサブフレーム利用可能性とを決定することと、
前記第１のサブフレーム利用可能性に少なくとも部分的に基づいて前記第１の狭帯域領域を使用して、または前記第２のサブフレーム利用可能性に少なくとも部分的に基づいて前記第２の狭帯域領域を使用して通信することと
を備える、方法。
【請求項２】
チャネル構成を識別すること
をさらに備え、ここにおいて、前記第１のサブフレーム利用可能性と前記第２のサブフレーム利用可能性とが、前記チャネル構成に少なくとも部分的に基づいて決定される、
請求項１に記載の方法。
【請求項３】
前記チャネル構成が、前記キャリアの帯域幅よりも小さい帯域幅を有する基準信号構成である、請求項２に記載の方法。
【請求項４】
前記基準信号構成が、測位基準信号構成、発見基準信号構成、１次同期信号（ＰＳＳ）構成、２次同期信号（ＳＳＳ）構成、物理ブロードキャストチャネル（ＰＢＣＨ）構成、またはそれらの任意の組合せを備える、請求項３に記載の方法。
【請求項５】
前記チャネル構成に少なくとも部分的に基づいて、前記第１の狭帯域領域のための後続のサブフレーム利用可能性を決定すること
をさらに備える、請求項２に記載の方法。
【請求項６】
前記第１のサブフレーム利用可能性を決定することは、
サブフレームがマシンタイプ通信（ＭＴＣ）のために利用可能であると決定すること、前記サブフレームがＭＴＣのために少なくとも部分的に利用不可能であると決定すること、または前記サブフレームの一部分がＭＴＣのために利用可能であると決定すること
を備える、請求項１に記載の方法。
【請求項７】
前記第１のサブフレーム利用可能性が前記第２のサブフレーム利用可能性とは異なる、請求項１に記載の方法。
【請求項８】
サブフレーム利用可能性の指示を受信すること
をさらに備え、ここにおいて、前記第１のサブフレーム利用可能性または前記第２のサブフレーム利用可能性が、前記受信された指示に少なくとも部分的に基づいて決定される、請求項１に記載の方法。
【請求項９】
前記指示が、帯域幅、繰返しパターン、および周期性をもつ１つまたは複数の基準信号の構成、または前記第２のサブフレーム利用可能性とは別々に前記第１のサブフレーム利用可能性を示す構成のうちの少なくとも１つである、請求項８に記載の方法。
【請求項１０】
前記第１のサブフレーム利用可能性を決定することは、
第１の基準信号に少なくとも部分的に基づいて、サブフレームが前記第１の狭帯域領域のために利用可能であると決定すること
を備え、
ここにおいて、前記第２のサブフレーム利用可能性を決定することは、第２の基準信号に少なくとも部分的に基づいて、前記サブフレームが前記第２の狭帯域領域のために少なくとも部分的に利用不可能であると決定することを備える、
請求項１に記載の方法。
【請求項１１】
前記第１の基準信号がセル固有であり、前記第２の基準信号がユーザ機器（ＵＥ）固有である、請求項１０に記載の方法。
【請求項１２】
前記第１のサブフレーム利用可能性に少なくとも部分的に基づいて、送信時間間隔（ＴＴＩ）バンドリング構成がサブフレームを含むかどうかを決定すること
をさらに備える、請求項１に記載の方法。
【請求項１３】
前記第１のサブフレーム利用可能性に少なくとも部分的に基づいて、送信時間間隔（ＴＴＩ）バンドリング構成を決定すること
をさらに備える、請求項１に記載の方法。
【請求項１４】
前記第１のサブフレーム利用可能性に少なくとも部分的に基づいて、前記ＴＴＩバンドリング構成のための周波数ホッピング構成を識別すること
をさらに備える、請求項１３に記載の方法。
【請求項１５】
スケジュールされたトラフィックがユニキャストであるのかブロードキャストであるのかを決定すること
をさらに備え、ここにおいて、前記第１のサブフレーム利用可能性は、前記スケジュールされたトラフィックがユニキャストであるのかブロードキャストであるのかに少なくとも部分的に基づいて決定される、
請求項１に記載の方法。
【請求項１６】
前記スケジュールされたトラフィックがブロードキャストトラフィックであると決定することと、ここにおいて、前記第１のサブフレーム利用可能性を決定することは、前記ブロードキャストトラフィックに少なくとも部分的に基づいて、サブフレームがマシンタイプ通信（ＭＴＣ）のために利用可能であると決定することを備える、
前記ブロードキャストトラフィックに少なくとも部分的に基づいて、前記スケジュールされたトラフィックをレートマッチングすることと
をさらに備える、請求項１５に記載の方法。
【請求項１７】
前記スケジュールされたトラフィックがユニキャストトラフィックであると決定すること
をさらに備え、ここにおいて、前記第１のサブフレーム利用可能性を決定することは、前記ユニキャストトラフィックに少なくとも部分的に基づいて、サブフレームがマシンタイプ通信（ＭＴＣ）のために少なくとも部分的に利用不可能であると決定することを備える、
請求項１５に記載の方法。
【請求項１８】
前記スケジュールされたトラフィックがブロードキャストトラフィックであると決定すること
をさらに備え、ここにおいて、前記第１のサブフレーム利用可能性を決定することは、前記ブロードキャストトラフィックに少なくとも部分的に基づいて、サブフレームが狭帯域通信のために少なくとも部分的に利用不可能であると決定することを備える、
請求項１５に記載の方法。
【請求項１９】
システム帯域幅がしきい値よりも小さいと決定すること
をさらに備え、ここにおいて、前記第１のサブフレーム利用可能性を決定することは、前記システム帯域幅が前記しきい値よりも小さいと決定することに少なくとも部分的に基づいて、サブフレームがページングトラフィックのために少なくとも部分的に利用不可能であると決定することを備える、
請求項１に記載の方法。
【請求項２０】
前記スケジュールされたトラフィックがユニキャストであるのかブロードキャストであるのかを決定することに少なくとも部分的に基づいて、周波数ホッピング構成を決定すること
をさらに備える、請求項１５に記載の方法。
【請求項２１】
ワイヤレス通信のための装置であって、
第１の狭帯域領域と第２の狭帯域領域とを備えるキャリアを介して通信リンクを確立するための手段と、
前記第１の狭帯域領域のための第１のサブフレーム利用可能性と前記第２の狭帯域領域のための第２のサブフレーム利用可能性とを決定するための手段と、
前記第１のサブフレーム利用可能性に少なくとも部分的に基づいて前記第１の狭帯域領域を使用して、または前記第２のサブフレーム利用可能性に少なくとも部分的に基づいて前記第２の狭帯域領域を使用して通信するための手段と
を備える、装置。
【請求項２２】
チャネル構成を識別するための手段
をさらに備え、ここにおいて、前記第１のサブフレーム利用可能性と前記第２のサブフレーム利用可能性とが、前記チャネル構成に少なくとも部分的に基づいて決定される、
請求項２１に記載の装置。
【請求項２３】
サブフレーム利用可能性の指示を受信するための手段
をさらに備え、ここにおいて、前記第１のサブフレーム利用可能性または前記第２のサブフレーム利用可能性が、前記受信された指示に少なくとも部分的に基づいて決定される、請求項２１に記載の装置。
【請求項２４】
前記第１のサブフレーム利用可能性に少なくとも部分的に基づいて、送信時間間隔（ＴＴＩ）バンドリング構成がサブフレームを含むかどうかを決定するための手段
をさらに備える、請求項２１に記載の装置。
【請求項２５】
前記第１のサブフレーム利用可能性に少なくとも部分的に基づいて、ＴＴＩバンドリング構成を決定するための手段
をさらに備える、請求項２１に記載の装置。
【請求項２６】
スケジュールされたトラフィックがユニキャストであるのかブロードキャストであるのかを決定するための手段
をさらに備え、ここにおいて、前記第１のサブフレーム利用可能性は、前記スケジュールされたトラフィックがユニキャストであるのかブロードキャストであるのかに少なくとも部分的に基づいて決定される、
請求項２１に記載の装置。
【請求項２７】
ワイヤレス通信のための装置であって、
プロセッサと、
前記プロセッサと電子通信しているメモリと、
前記メモリに記憶され、前記プロセッサによって実行されたとき、前記装置に、
第１の狭帯域領域と第２の狭帯域領域とを備えるキャリアを介して通信リンクを確立することと、
前記第１の狭帯域領域のための第１のサブフレーム利用可能性と前記第２の狭帯域領域のための第２のサブフレーム利用可能性とを決定することと、
前記第１のサブフレーム利用可能性に少なくとも部分的に基づいて前記第１の狭帯域領域を使用して、または前記第２のサブフレーム利用可能性に少なくとも部分的に基づいて前記第２の狭帯域領域を使用して通信することと
を行わせるように動作可能な命令と
を備える、装置。
【請求項２８】
前記命令が、前記装置に、
チャネル構成を識別すること
を行わせるように動作可能であり、ここにおいて、前記第１のサブフレーム利用可能性と前記第２のサブフレーム利用可能性とが、前記チャネル構成に少なくとも部分的に基づいて決定される、
請求項２７に記載の装置。
【請求項２９】
前記命令が、前記装置に、
前記チャネル構成に少なくとも部分的に基づいて、前記第１の狭帯域領域のための後続のサブフレーム利用可能性を決定すること
を行わせるように動作可能である、請求項２８に記載の装置。
【請求項３０】
ワイヤレス通信のためのコードを記憶する非一時的コンピュータ可読媒体であって、前記コードが、
第１の狭帯域領域と第２の狭帯域領域とを備えるキャリアを介して通信リンクを確立することと、
前記第１の狭帯域領域のための第１のサブフレーム利用可能性と前記第２の狭帯域領域のための第２のサブフレーム利用可能性とを決定することと、
前記第１のサブフレーム利用可能性に少なくとも部分的に基づいて前記第１の狭帯域領域を使用して、または前記第２のサブフレーム利用可能性に少なくとも部分的に基づいて前記第２の狭帯域領域を使用して通信することと
を行うために実行可能な命令を備える、装置。
【発明の詳細な説明】
【技術分野】
【０００１】
相互参照
[0001]本特許出願は、各々が本出願の譲受人に譲渡された、２０１６年４月１３日に出願された、「Narrowband Dependent Subframe Availability for MTC」と題する、Ｃｈｅｎらによる米国特許出願第１５／０９７，４２８号、および２０１５年４月１７日に出願された、「Narrowband Dependent Subframe Availability For MTC」と題する、Ｃｈｅｎらによる米国仮特許出願第６２／１４８，８４３号の優先権を主張する。
【背景技術】
【０００２】
[0002]以下は、一般にワイヤレス通信に関し、より詳細には、マシンタイプ通信（ＭＴＣ）デバイスを含む、デバイス間の通信のための狭帯域依存サブフレーム利用可能性に関する。
【０００３】
[0003]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能であり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（たとえば、ロングタームエボリューション（ＬＴＥ（登録商標））システム）がある。ワイヤレス多元接続通信システムは、場合によってはユーザ機器（ＵＥ）として知られていることがある、複数の通信デバイスのための通信を各々が同時にサポートする、いくつかの基地局を含み得る。
【０００４】
[0004]いくつかの場合には、低コストまたは低複雑度ＭＴＣデバイスなど、ＵＥは、セルの周波数範囲の狭いサブバンド中で、または複数の狭帯域領域中で基地局と通信し得る。また、基地局は、セルの全周波数範囲の一部分のみを占有する信号またはチャネルを送信し得る。信号は、異なる程度に異なる狭帯域領域と重複し得る。これは、異なる狭帯域領域上のスケジュールされた通信を複雑にし得る。
【発明の概要】
【０００５】
[0005]ユーザ機器（ＵＥ）と基地局とは、複数の狭帯域領域を含むキャリアを介して通信リンクを確立し得る。デバイスのいずれかまたは両方は、キャリアの１つまたは複数の狭帯域領域に関連するサブフレーム利用可能性を決定し得、デバイスは、サブフレーム利用可能性に基づいて通信し得る。いくつかの場合には、サブフレーム利用可能性は、狭帯域領域のうちの１つまたはいくつかを含み得る、キャリアの全帯域幅の一部分をカバーする基準信号（たとえば、測位基準信号（ＰＲＳ：positioning reference signal）または発見基準シングル（ＤＲＳ：discovery reference single））の存在を含む、チャネル構成に依存し得る。いくつかの場合には、送信時間間隔（ＴＴＩ）バンドリングまたは周波数ホッピングが、たとえば、狭帯域領域中で、サブフレーム利用可能性に依存し得る。
【０００６】
[0006]ワイヤレス通信の方法が説明される。本方法は、第１の狭帯域領域と第２の狭帯域領域とを備えるキャリアを介して通信リンクを確立することと、第１の狭帯域領域のための第１のサブフレーム利用可能性と第２の狭帯域領域のための第２のサブフレーム利用可能性とを決定することと、第１のサブフレーム利用可能性に少なくとも部分的に基づいて第１の狭帯域を使用して、または第２のサブフレーム利用可能性に少なくとも部分的に基づいて第２の狭帯域領域を使用して通信することとを含み得る。
【０００７】
[0007]ワイヤレス通信のための装置が説明される。本装置は、第１の狭帯域領域と第２の狭帯域領域とを備えるキャリアを介して通信リンクを確立するための手段と、第１の狭帯域領域のための第１のサブフレーム利用可能性と第２の狭帯域領域のための第２のサブフレーム利用可能性とを決定するための手段と、第１のサブフレーム利用可能性に少なくとも部分的に基づいて第１の狭帯域を使用して、または第２のサブフレーム利用可能性に少なくとも部分的に基づいて第２の狭帯域領域を使用して通信するための手段とを含み得る。
【０００８】
[0008]ワイヤレス通信のためのさらなる装置が説明される。本装置は、プロセッサと、プロセッサと電子通信しているメモリと、メモリに記憶され、プロセッサによって実行されたとき、本装置に、第１の狭帯域領域と第２の狭帯域領域とを備えるキャリアを介して通信リンクを確立することと、第１の狭帯域領域のための第１のサブフレーム利用可能性と第２の狭帯域領域のための第２のサブフレーム利用可能性とを決定することと、第１のサブフレーム利用可能性に少なくとも部分的に基づいて第１の狭帯域を使用して、または第２のサブフレーム利用可能性に少なくとも部分的に基づいて第２の狭帯域領域を使用して通信することとを行わせるように動作可能な命令とを含み得る。
【０００９】
[0009]ワイヤレス通信のためのコードを記憶する非一時的コンピュータ可読媒体が説明される。コードは、第１の狭帯域領域と第２の狭帯域領域とを備えるキャリアを介して通信リンクを確立することと、第１の狭帯域領域のための第１のサブフレーム利用可能性と、第２の狭帯域領域のための第２のサブフレーム利用可能性とを決定することと、第１のサブフレーム利用可能性に少なくとも部分的に基づいて第１の狭帯域を使用して、または第２のサブフレーム利用可能性に少なくとも部分的に基づいて第２の狭帯域領域を使用して通信することとを行うために実行可能な命令を含み得る。
【００１０】
[0010]本明細書で説明される方法、装置、または非一時的コンピュータ可読媒体のいくつかの例は、チャネル構成を識別するためのプロセス、特徴、手段、または命令をさらに含み得、第１のサブフレーム利用可能性と第２のサブフレーム利用可能性とは、チャネル構成に少なくとも部分的に基づいて決定される。追加または代替として、いくつかの例では、チャネル構成は、キャリアの帯域幅よりも小さい帯域幅を有する基準信号構成である。
【００１１】
[0011]本明細書で説明される方法、装置、または非一時的コンピュータ可読媒体のいくつかの例では、基準信号構成は、測位基準信号構成、発見基準信号構成、１次同期信号（ＰＳＳ）、２次同期信号（ＳＳＳ）、物理ブロードキャストチャネル（ＰＢＣＨ）などを備える。追加または代替として、いくつかの例は、チャネル構成に少なくとも部分的に基づいて、第１の狭帯域領域のための後続のサブフレーム利用可能性を決定するためのプロセス、特徴、手段、または命令を含み得る。
【００１２】
[0012]本明細書で説明される方法、装置、または非一時的コンピュータ可読媒体のいくつかの例では、第１のサブフレーム利用可能性を決定することは、サブフレームがＭＴＣのために利用可能であると決定すること、サブフレームがＭＴＣのために少なくとも部分的に利用不可能であると決定すること、またはサブフレームの一部分がＭＴＣのために利用可能であると決定することを備える。追加または代替として、いくつかの例では、第１のサブフレーム利用可能性は第２のサブフレーム利用可能性とは異なる。
【００１３】
[0013]本明細書で説明される方法、装置、または非一時的コンピュータ可読媒体のいくつかの例は、サブフレーム利用可能性の指示を受信するためのプロセス、特徴、手段、または命令をさらに含み得、ここにおいて、第１のサブフレーム利用可能または第２のサブフレーム利用可能性は、受信された指示に少なくとも部分的に基づいて決定される。追加または代替として、いくつかの例では、指示は、帯域幅、繰返しパターン、および周期性をもつ１つまたは複数の基準信号の構成、または第２のサブフレーム利用可能性とは別々に第１のサブフレーム利用可能性を示す構成のうちの少なくとも１つである。
【００１４】
[0014]本明細書で説明される方法、装置、または非一時的コンピュータ可読媒体のいくつかの例では、第１のサブフレーム利用可能性を決定することは、第１の基準信号に少なくとも部分的に基づいて、サブフレームが第１の狭帯域領域のために利用可能であると決定することを備え、第２のサブフレーム利用可能性を決定することは、第２の基準信号に少なくとも部分的に基づいて、サブフレームが第２の狭帯域領域のために少なくとも部分的に利用不可能であると決定することを備える。追加または代替として、いくつかの例では、第１の基準信号はセル固有であり、第２の基準信号はＵＥ固有である。
【００１５】
[0015]本明細書で説明される方法、装置、または非一時的コンピュータ可読媒体のいくつかの例は、第１のサブフレーム利用可能性に少なくとも部分的に基づいて、ＴＴＩバンドリング構成がサブフレームを含むかどうかを決定するためのプロセス、特徴、手段、または命令をさらに含み得る。追加または代替として、いくつかの例では、ＴＴＩバンドリング構成は、第１の狭帯域領域のためのチャネルまたは基準信号による中断の頻度に少なくとも部分的に基づく。
【００１６】
[0016]本明細書で説明される方法、装置、または非一時的コンピュータ可読媒体のいくつかの例は、第１のサブフレーム利用可能性に少なくとも部分的に基づいてＴＴＩバンドリング構成を決定するためのプロセス、特徴、手段、または命令をさらに含み得る。追加または代替として、いくつかの例は、第１のサブフレーム利用可能性に少なくとも部分的に基づいてＴＴＩバンドリング構成のための周波数ホッピング構成を識別するためのプロセス、特徴、手段、または命令を含み得る。
【００１７】
[0017]本明細書で説明される方法、装置、または非一時的コンピュータ可読媒体のいくつかの例は、スケジュールされたトラフィックがユニキャストであるのかブロードキャストであるのかを決定するためのプロセス、特徴、手段、または命令をさらに含み得、ここにおいて、第１のサブフレーム利用可能性は、スケジュールされたトラフィックがユニキャストであるのかブロードキャストであるのかに少なくとも部分的に基づいて決定される。追加または代替として、いくつかの例は、スケジュールされたトラフィックがブロードキャストトラフィックであると決定することと、ここにおいて、第１のサブフレーム利用可能性を決定することは、ブロードキャストトラフィックに少なくとも部分的に基づいて、サブフレームがＭＴＣのために利用可能であると決定することを備える、ブロードキャストトラフィックに少なくとも部分的に基づいて、スケジュールされたトラフィックをレートマッチングすることとを行うためのプロセス、特徴、手段、または命令を含み得る。
【００１８】
[0018]本明細書で説明される方法、装置、または非一時的コンピュータ可読媒体のいくつかの例は、スケジュールされたトラフィックがユニキャストトラフィックであると決定するためのプロセス、特徴、手段、または命令をさらに含み得、ここにおいて、第１のサブフレーム利用可能性を決定することは、ユニキャストトラフィックに少なくとも部分的に基づいて、サブフレームがＭＴＣのために少なくとも部分的に利用不可能であると決定することを備える。いくつかの例は、追加のトラフィックがユニキャストトラフィックであると決定することを含み得、ここにおいて、第１のサブフレーム利用可能性を決定することは、サブフレームがブロードキャストトラフィックのために少なくとも部分的に利用不可能であるという決定に少なくとも部分的に基づいて、サブフレームが狭帯域通信のために利用可能であると決定することを備える。いくつかの例は、スケジュールされたトラフィックがブロードキャストトラフィックであると決定することを含み得、ここにおいて、第１のサブフレーム利用可能性を決定することは、ブロードキャストトラフィックに少なくとも部分的に基づいて、サブフレームが狭帯域通信のために少なくとも部分的に利用不可能であると決定することを備える。いくつかの例は、システム帯域幅がしきい値よりも小さいと決定することを含み得、ここにおいて、第１のサブフレーム利用可能性を決定することは、システム帯域幅がしきい値よりも小さいと決定することに少なくとも部分的に基づいて、サブフレームがページングトラフィックのために少なくとも部分的に利用不可能であると決定することを備える。追加または代替として、いくつかの例は、スケジュールされたトラフィックがユニキャストであるのかブロードキャストであるのかを決定することに少なくとも部分的に基づいて周波数ホッピング構成を決定するためのプロセス、特徴、手段、または命令を含み得る。
【００１９】
[0019]本開示の態様が、以下の図を参照しながら説明される。
【図面の簡単な説明】
【００２０】
【図１】[0020]本開示の様々な態様による、狭帯域依存サブフレーム利用可能性決定をサポートするワイヤレス通信システムの一例を示す図。
【図２】[0021]本開示の様々な態様による、狭帯域依存サブフレーム利用可能性決定をサポートするワイヤレス通信システムの一例を示す図。
【図３】[0022]本開示の様々な態様による、狭帯域依存サブフレーム利用可能性決定をサポートする帯域幅構造の一例を示す図。
【図４】[0023]本開示の様々な態様による、狭帯域依存サブフレーム利用可能性決定をサポートするシステムにおけるプロセスフローの一例を示す図。
【図５】[0024]本開示の様々な態様による、狭帯域依存サブフレーム利用可能性決定をサポートする１つまたは複数のワイヤレスデバイスのブロック図。
【図６】本開示の様々な態様による、狭帯域依存サブフレーム利用可能性決定をサポートする１つまたは複数のワイヤレスデバイスのブロック図。
【図７】本開示の様々な態様による、狭帯域依存サブフレーム利用可能性決定をサポートする１つまたは複数のワイヤレスデバイスのブロック図。
【図８】[0025]本開示の様々な態様による、狭帯域依存サブフレーム利用可能性決定をサポートするデバイスを含む、システムのブロック図。
【図９】[0026]本開示の様々な態様による、狭帯域依存サブフレーム利用可能性決定をサポートする基地局を含む、システムのブロック図。
【図１０】[0027]本開示の様々な態様による、狭帯域依存サブフレーム利用可能性決定または利用のための方法を示す図。
【図１１】本開示の様々な態様による、狭帯域依存サブフレーム利用可能性決定または利用のための方法を示す図。
【図１２】本開示の様々な態様による、狭帯域依存サブフレーム利用可能性決定または利用のための方法を示す図。
【図１３】本開示の様々な態様による、狭帯域依存サブフレーム利用可能性決定または利用のための方法を示す図。
【図１４】本開示の様々な態様による、狭帯域依存サブフレーム利用可能性決定または利用のための方法を示す図。
【図１５】本開示の様々な態様による、狭帯域依存サブフレーム利用可能性決定または利用のための方法を示す図。
【発明を実施するための形態】
【００２１】
[0028]いくつかのワイヤレスシステムは、マシンタイプ通信（ＭＴＣ）デバイスとして知られる低コストまたは低複雑度ユーザ機器（ＵＥ）のカテゴリーのためのサービスを提供し得る。いくつかの制限とともにこれらのデバイスは通信し得、これは、物理的限界に基づき得、これは、より低いデータレート、限られたトランスポートブロックサイズ、半二重動作、または緩やかな切替え時間を含み得る。また、カバレージ拡張とともに低コストまたは低複雑度デバイスが提供またはサポートされ得、広帯域キャリアの狭帯域領域内で動作するように構成され得る。いくつかの場合には、キャリアは、異なるデバイスをサービスする複数の狭帯域領域に分割され得る。また、それにもかかわらず、広帯域上で動作することが可能な他のＵＥが、広帯域キャリアの狭帯域領域中で動作するように構成され得る。
【００２２】
[0029]基地局によって送信され、様々なデバイスによる使用を意図するいくつかの信号が、キャリアのサブレンジまたはサブバンドをカバーまたは専有し得る。これらの信号は、信号と狭帯域領域との間にどのくらいの重複があるかに依存して、別様に、様々な狭帯域領域のスケジューリングに影響を及ぼし得る。一例として、基地局は、構成可能な帯域幅をもつ測位基準信号（ＰＲＳ）を送信し得る。ＰＲＳ帯域幅がセルの帯域幅よりも小さい場合、ＰＲＳは帯域の中心部分中にあり得る。発見基準信号（ＤＲＳ）が、セルの帯域幅の一部分をカバーする信号の別の例であり得る。したがって、サブフレームの利用可能性（たとえば、マシンタイプ通信（ＭＴＣ）のための利用可能性）が、サブフレーム中の１つまたは複数のチャネルまたは信号の構成に依存し得る
[0030]いくつかの場合には、サブフレーム中のすべてのＲＢが、チャネル構成に基づいて、狭帯域通信（たとえば、ＭＴＣ）のために利用不可能であり得る。他の場合には、ＲＢの一部または全部が狭帯域通信のために利用可能であり得る。キャリアが異なる狭帯域領域に分割される場合、各領域は、特定のサブフレーム中で異なる利用可能性を有し得、たとえば、狭帯域通信のために、リソースブロック（ＲＢ）が利用可能でないこと、あるいは、いくつかのＲＢ、１つまたは複数のＲＢ中のいくつかのリソース、またはすべてのＲＢが利用可能であることがある。ＤＲＳのＰＲＳなど、シグナリングのサブフレーム依存の存在により、狭帯域領域の利用可能性は時間とともに変化し得、たとえば、狭帯域領域は、１つのサブフレーム中に利用不可能であり得、後続のまたは先行するサブフレーム中で利用可能であり得る。
【００２３】
[0031]異なる領域が異なるサブフレーム利用可能性を有し得るとすれば、異なる領域の使用も異なり得る。たとえば、ＭＴＣがカバレージ拡張を受け、したがってサブフレーム（ＴＴＩ）バンドリングを利用する場合、より多くのサブフレーム利用可能性を有する領域のセット中のＴＴＩバンドリング動作を定義することが好ましいことがある。領域（たとえば、周波数）ホッピングがバンドル送信のためにサポートされる場合、ホッピングのために利用される領域のセットは、比較的より多くのサブフレーム利用可能性をもつ利用可能な領域のサブセットであり得る。
【００２４】
[0032]また、ユニキャストトラフィックと比較してブロードキャストトラフィックのために別様に狭帯域領域のためのリソース利用可能性決定を実行することが可能であり得る。ブロードキャストトラフィックの場合、狭帯域チャネルまたは信号が存在するサブフレーム中で、ＭＴＣのための狭帯域がチャネルまたは信号と部分的に衝突する場合でも、レートマッチングが実行され得る。ＭＴＣユニキャストトラフィックの場合、狭帯域は、たとえば、狭帯域がチャネルまたは信号と部分的にでも衝突する場合、完全にスキップされ得る。いくつかの場合には、ＴＴＩバンドリングサイズが、まばらなチャネルまたは信号のためのサブフレーム利用可能性にかかわらず定義され得る。
【００２５】
[0033]本開示の態様が、最初にワイヤレス通信システムのコンテキストにおいて以下で説明される。次いで、例示的な帯域幅構造のための特定の例が説明される。本開示のこれらのおよび他の態様が、狭帯域依存サブフレーム利用可能性および利用に関係する装置図、システム図、およびフローチャートによってさらに示され、それらを参照しながら説明される。
【００２６】
[0034]図１は、本開示の様々な態様による、ワイヤレス通信システム１００の一例を示す。ワイヤレス通信システム１００は、基地局１０５と、ユーザ機器（ＵＥ）１１５と、コアネットワーク１３０とを含む。いくつかの例では、ワイヤレス通信システム１００はロングタームエボリューション（ＬＴＥ）／ＬＴＥアドバンスト（ＬＴＥ−Ａ）ネットワークであり得る。ワイヤレス通信システム１００は、狭帯域通信のためのサブフレーム利用可能性および利用が基準信号および他のチャネルの構成に依存し得るシステムの一例であり得る。
【００２７】
[0035]基地局１０５は、１つまたは複数の基地局アンテナを介して、ＵＥ１１５とワイヤレスに通信し得る。各基地局１０５は、それぞれの地理的カバレージエリア１１０に通信カバレージを与え得る。ワイヤレス通信システム１００に示されている通信リンク１２５は、ＵＥ１１５から基地局１０５へのアップリンク（ＵＬ）送信、または基地局１０５からＵＥ１１５へのダウンリンク（ＤＬ）送信を含み得る。ＵＥ１１５は、ワイヤレス通信システム１００全体にわたって分散され得、各ＵＥ１１５は固定または移動であり得る。ＵＥ１１５は、移動局、加入者局、リモートユニット、ワイヤレスデバイス、アクセス端末、ハンドセット、ユーザエージェント、クライアント、または何らかの他の好適な用語で呼ばれることもある。ＵＥ１１５は、たとえば、セルラーフォン、ワイヤレスモデム、ハンドヘルドデバイス、パーソナルコンピュータ、タブレット、パーソナル電子デバイスなどであり得る。
【００２８】
[0036]ＵＥ１１５のうちのいくつかはＭＴＣデバイスであり得、これは、自動通信を与え得、マシンツーマシン（Ｍ２Ｍ）通信を実装するものを含み得る。Ｍ２ＭまたはＭＴＣは、デバイスが人の介入なしに互いにまたは基地局１０５と通信することを可能にするデータ通信技術を指すことがある。たとえば、Ｍ２ＭまたはＭＴＣは、情報を測定またはキャプチャするためにセンサーまたはメーターを組み込み、情報を活用することができる中央サーバまたはアプリケーションプログラムにその情報を中継するか、あるいはプログラムまたはアプリケーションと対話する人間に情報を提示する、デバイスからの通信を指すことがある。ＭＴＣデバイスであるＵＥ１１５は、情報を収集するかまたは機械の自動化された挙動を可能にするように設計されたものを含み得る。ＭＴＣデバイスのための適用例の例としては、スマートメータリング、インベントリ監視、水位監視、機器監視、ヘルスケア監視、野生生物監視、天候および地質学的事象監視、フリート管理およびトラッキング、リモートセキュリティ検知、物理的アクセス制御、ならびにトランザクションベースのビジネスの課金がある。ＭＴＣデバイスは、低減されたピークレートにおいて半二重（一方向）通信を使用して動作し得る。ＭＴＣデバイスはまた、アクティブ通信に関与していないとき、電力節約「ディープスリープ」モードに入るように構成され得る。
【００２９】
[0037]基地局１０５は、コアネットワーク１３０および互いと通信し得る。たとえば、基地局１０５は、バックホールリンク１３２（たとえば、Ｓ１など）を通して、コアネットワーク１３０とインターフェースし得る。基地局１０５は、直接または間接的にのいずれかで（たとえば、コアネットワーク１３０を通して）バックホールリンク１３４（たとえば、Ｘ２など）を介して互いと通信し得る。基地局１０５は、ＵＥ１１５との通信のための無線構成およびスケジューリングを実行し得るか、または基地局コントローラ（図示せず）の制御下で動作し得る。いくつかの例では、基地局１０５は、マクロセル、スモールセル、ホットスポットなどであり得る。基地局１０５はｅノードＢ（ｅＮＢ）１０５と呼ばれることもある。
【００３０】
[0038]ワイヤレス通信システムがいくつかの場合には表し得るＬＴＥシステムは、ダウンリンク（ＤＬ）上では直交周波数分割多元接続（ＯＦＤＭＡ）を利用し、ＵＬ上ではシングルキャリア周波数分割多元接続（ＳＣ−ＦＤＭＡ）を利用し得る。ＯＦＤＭＡおよびＳＣ−ＦＤＭＡは、システム帯域幅を、一般にトーンまたはビンとも呼ばれる複数（Ｋ個）の直交サブキャリアに区分する。各サブキャリアはデータで変調され得る。隣接するサブキャリア間の間隔は固定であり得、サブキャリアの総数（Ｋ）はシステム帯域幅に依存し得る。たとえば、Ｋは、それぞれ、１．４、３、５、１０、１５、または２０メガヘルツ（ＭＨｚ）の（ガードバンドをもつ）対応するシステム帯域幅に対して、１５キロヘルツ（ＫＨｚ）のサブキャリア間隔の場合、７２、１８０、３００、６００、９００、または１２００に等しくなり得る。システム帯域幅はまた、サブバンドに区分され得る。たとえば、サブバンドは１．０８ＭＨｚをカバーし得、たとえば、１つ、２つ、４つ、８つまたは１６個のサブバンドがあり得る。
【００３１】
[0039]フレーム構造は、キャリアの物理リソースを編成するために使用され得る。ＬＴＥにおける時間間隔は、基本時間単位（たとえば、サンプリング周期、Ｔｓ＝１／３０，７２０，０００秒）の倍数単位で表され得、０から１０２３に及ぶシステムフレーム番号（ＳＦＮ）によって識別され得る、１０ｍｓの長さの無線フレーム（Ｔｆ＝３０７２００Ｔｓ）に従って編成され得る。フレームは、等しいサイズの１０個のサブフレームにさらに分割され得る。各サブフレームは、２つの連続するタイムスロットを含み得る。各スロットは、６つまたは７つのＯＦＤＭＡシンボル期間を含み得る。リソース要素は、１つのシンボル期間と１つのサブキャリア（１５ｋＨｚ周波数範囲）とからなる。
【００３２】
[0040]リソースブロックは、周波数領域中に１２個の連続するサブキャリアを含んでおり、各ＯＦＤＭシンボル中のノーマルサイクリックプレフィックスについて、時間領域（１つのスロット）中に７つの連続するＯＦＤＭシンボルを含んでおり、すなわち８４個のリソース要素を含んでいることがある。いくつかのリソース要素は、ＤＬ基準信号（ＤＬ−ＲＳ）を含み得る。ＤＬ−ＲＳは、セル固有基準信号（ＣＲＳ）と、復調基準信号（ＤＭ−ＲＳ）と呼ばれることもあるＵＥ固有ＲＳ（ＵＥ−ＲＳ）とを含み得る。ＵＥ−ＲＳは、物理ダウンリンク共有チャネル（ＰＤＳＣＨ）に関連するリソースブロック上で送信され得る。各リソース要素によって搬送されるビット数は、変調方式、たとえば、各シンボル期間中に選択され得るシンボルの構成に依存し得る。したがって、ＵＥが受信するリソースブロックが多いほど、また変調方式が高いほど、データレートは高くなり得る。いくつかの場合には、サブフレームは、最も小さいスケジューリングユニットであり得、送信時間間隔（ＴＴＩ）と呼ばれることがある。他の場合には、ＴＴＩは、サブフレームよりも短いことがあるか、または（たとえば、短いＴＴＩバーストにおいて、または短いＴＴＩを使用する選択されたコンポーネントキャリアにおいて）動的に選択され得るか、あるいはその両方であり得る。
【００３３】
[0041]セルのいくつかの時間および周波数リソースが、ＣＲＳまたはＵＥ−ＲＳを含む、１つまたは複数の基準信号の送信のために使用され得、または同期信号を送信するために使用され得、あるいはその両方であり得る。たとえば、ワイヤレスネットワークにアクセスすることを試みるＵＥ１１５は、基地局１０５からの１次同期信号（ＰＳＳ）を検出することによって、初期セル探索を実行し得る。ＰＳＳは、スロットタイミングの同期を可能にし得、物理レイヤ識別情報値を示し得る。次いで、ＵＥ１１５は、２次同期信号（ＳＳＳ）を受信し得る。ＳＳＳは、無線フレーム同期を可能にし得、セルを識別するための物理レイヤ識別情報値と組み合わせられ得る、セル識別情報値を与え得る。ＳＳＳはまた、複信モードおよびサイクリックプレフィックス長の検出を可能にし得る。ＴＤＤシステムなど、いくつかのシステムは、ＳＳＳを送信するがＰＳＳを送信しないことがあり、またはその逆も同様である。ＰＳＳとＳＳＳの両方は、それぞれ、キャリアの中心の６２個と７２個のサブキャリア中にあり得る。
【００３４】
[0042]別の例として、基地局は、構成可能な帯域幅（たとえば、１．４／３／５／１０／１５／２０ＭＨｚ）をもつ測位基準信号（ＰＲＳ）を送信し得る。したがって、セルは１０ＭＨｚをカバーし得るが、ＰＲＳは５ＭＨｚのみを利用し得る。ＰＲＳ帯域幅がセルの帯域幅よりも小さい場合、ＰＲＳは帯域の中心部分中にあり得る。いくつかの場合には、ＰＲＳは、（たとえば、１６０ｍｓ／３２０ｍｓ／６４０ｍｓまたは１２８０ｍｓに構成可能な周期で）周期的に送信され得、各送信オケージョンは、連続するダウンリンクサブフレーム（たとえば、１／２／４／６）の構成可能なスパンを有し得る。発見基準信号（ＤＲＳ）が、セルの帯域幅の一部分をカバーする信号の別の例であり得る。また、ＤＲＳ帯域幅は、構成可能であり得（たとえば、１．４／３／５／１０／１５／２０ＭＨｚ）、周期的にまたは散発的に送信され得る。いくつかの場合には、低コストまたは低複雑度ＭＴＣデバイスなど、ＵＥ１１５による使用のためのサブフレームの利用可能性は、ＰＲＳ、ＤＲＳ、または他の基準信号の存在に依存し得る。
【００３５】
[0043]基地局１０５は、ＵＥ１１５のチャネル推定およびコヒーレント復調を助けるために、上述のＣＲＳなど、周期パイロットシンボルをも挿入し得る。ＣＲＳは、たとえば、５０４個の異なるセル識別情報のうちの１つを含み得る。ＣＲＳは、それらを雑音および干渉に対して耐性があるようにするために、ＱＰＳＫとブーストされた（たとえば、周囲のデータ要素よりも高い６ｄＢにおいて送信された）電力とを使用して変調され得る。ＣＲＳは、たとえば、受信ＵＥ１１５のアンテナポートまたはレイヤの数（最高４つ）に基づいて各リソースブロック中の４〜１６個のリソース要素中に埋め込まれ得る。基地局１０５の地理的カバレージエリア１１０中のすべてのＵＥ１１５によって利用され得るＣＲＳに加えて、上記で説明された復調ＵＥ−ＲＳ（またはＤＭ−ＲＳ）は、特定のＵＥ１１５を対象とし得、それらのＵＥ１１５に割り当てられたリソースブロック上でのみ送信され得る。
【００３６】
[0044]いくつかの場合には、ワイヤレス通信システム１００は、セルエッジに位置するか、低電力トランシーバを用いて動作するか、あるいは高干渉または経路損失を経験するＵＥ１１５のための通信リンク１２５の品質を改善するために、カバレージ拡張（ＣＥ）技法を利用し得る。ＣＥ技法は、反復送信、ＴＴＩバンドリング、ＨＡＲＱ再送信、ＰＵＳＣＨホッピング、ビームフォーミング、電力ブースティング、または他の技法を含み得る。使用されるＣＥ技法は、異なる状況におけるＵＥ１１５の固有のニーズに依存し得る。たとえば、ＴＴＩバンドリングは、冗長性バージョンを再送信する前に否定応答（ＮＡＣＫ）を待つのではなく、連続または非連続ＴＴＩのグループ中に同じ情報の複数のコピーを送ることを伴い得る。これは、ボイスオーバーロングタームエボリューション（ＶｏＬＴＥ）またはＶｏＩＰ通信に関与するユーザのために有効であり得る。他の場合には、ＨＡＲＱ再送信の数も増加され得る。アップリンクデータ送信が、周波数ダイバーシティを達成するために、周波数ホッピングを使用して送信され得る。ビームフォーミングが、特定の方向において信号の強度を増加させるために使用され得、または送信電力が単に増加され得る。いくつかの場合には、１つまたは複数のＣＥオプションが組み合わせられ得、本技法が信号を改善することが予想されるデシベル数に基づいて、ＣＥレベルが定義され得る（たとえば、ＣＥなし、５ｄＢ  ＣＥ、１０ｄＢ  ＣＥ、１５ｄＢ  ＣＥなど）。
【００３７】
[0045]いくつかの場合には、ワイヤレス通信システム１００は拡張コンポーネントキャリア（ｅＣＣ）を利用し得る。ｅＣＣは、フレキシブル帯域幅と、異なるＴＴＩと、変更制御チャネル構成とを含む特徴によって特徴づけられ得る。いくつかの場合には、ｅＣＣは、（たとえば、複数のサービングセルが準最適なバックホールリンクを有するとき）キャリアアグリゲーション（ＣＡ）構成またはデュアル接続性構成に関連し得る。ｅＣＣはまた、（たとえば、２つ以上の事業者が、スペクトルを使用することを認可された場合）無認可スペクトルまたは共有スペクトルにおいて使用するために構成され得る。フレキシブル帯域幅によって特徴づけられるｅＣＣは、全帯域幅を監視することが可能でないか、または（たとえば、電力を節約するために）限られた帯域幅を使用することを選好することがある、上述の低コストまたは低複雑度ＭＴＣデバイスなど、ＵＥ１１５によって利用され得る１つまたは複数の狭帯域領域を含み得る。
【００３８】
[0046]いくつかの場合には、ｅＣＣは、他のコンポーネントキャリア（ＣＣ）とは異なるＴＴＩ長を利用し得、これは、他のＣＣのＴＴＩと比較して低減されたまたは可変のシンボル持続時間の使用を含み得る。いくつかの場合には、シンボル持続時間は同じままであり得るが、各シンボルは別個のＴＴＩを表し得る。いくつかの例では、ｅＣＣは、異なるＴＴＩ長に関連する複数の階層レイヤを含み得る。たとえば、ある階層レイヤにおけるＴＴＩは均一な１ｍｓサブフレームに対応し得るが、第２のレイヤでは、可変長ＴＴＩは短い持続時間シンボル期間のバーストに対応し得る。いくつかの場合には、より短いシンボル持続時間も、増加したサブキャリア間隔に関連し得る。低減されたＴＴＩ長と併せて、ｅＣＣは、動的時分割複信（ＴＤＤ）動作を利用し得る（すなわち、動的条件に従って短いバーストのためにＤＬ動作からＵＬ動作に切り替わり得る）。
【００３９】
[0047]フレキシブル帯域幅および可変ＴＴＩは、変更制御チャネル構成に関連し得る（たとえば、ｅＣＣは、ＤＬ制御情報のために拡張物理ダウンリンク制御チャネル（ｅＰＤＣＣＨ）を利用し得る）。たとえば、ｅＣＣの１つまたは複数の制御チャネルは、フレキシブル帯域幅使用に適応するために周波数分割多重化（ＦＤＭ）スケジューリングを利用し得る。他の制御チャネル変更は、（たとえば、発展型マルチメディアブロードキャストマルチキャストサービス（ｅＭＢＭＳ）スケジューリングのための、または可変長ＵＬおよびＤＬバーストの長さを示すための）追加の制御チャネルの使用、あるいは異なる間隔で送信される制御チャネルの使用を含む。ｅＣＣは、変更または追加ＨＡＲＱ関係制御情報をも含み得る。
【００４０】
[0048]したがって、ＵＥ１１５と基地局１０５とは、複数の狭帯域領域を含むキャリアを介して通信リンクを確立し得る。基地局１０５またはＵＥ１１５、あるいはその両方は、領域の各々に関連するサブフレーム利用可能性を決定し得、基地局１０５とＵＥ１１５とは、利用可能性に基づいて領域のうちの１つまたは複数上で通信し得る。いくつかの場合には、利用可能性は、キャリアの全帯域幅の一部分をカバーする基準信号（たとえば、ＰＲＳ、ＤＲＳまたは他の信号）の存在など、チャネル構成に依存し得る。いくつかの場合には、ＴＴＩバンドリングまたは周波数ホッピングが、サブフレーム利用可能性に依存し得る。
【００４１】
[0049]図２は、本開示の様々な態様による、狭帯域依存サブフレーム利用可能性決定のためのワイヤレス通信システム２００の一例を示す。ワイヤレス通信システム２００は、図１を参照しながら説明されたＵＥ１１５および基地局１０５の例であり得る、ＵＥ１１５−ａと基地局１０５−ａとを含み得る。いくつかの場合には、ＵＥ１１５−ａは、低コストまたは低複雑度ＭＴＣデバイスであり得る。いくつかの場合には、キャリア２０５は、異なるデバイスをサービスする複数の狭帯域領域に分割され得、ＵＥ１１５−ａは、キャリア２０５の周波数範囲（たとえば、３、５、１０、１５、または２０ＭＨｚ帯域）内の狭帯域領域２１０（たとえば、１．４ＭＨｚ領域）中で動作し得る。いくつかの例では、ＵＥ１１５−ａは、異なるレベル（たとえば、５ｄＢ、１０ｄＢ、または１５ｄＢ）で与えられ得るカバレージ拡張に従って動作し得る。
【００４２】
[0050]また、基地局１０５−ａによって送信されたいくつかの信号は、キャリアのサブレンジをカバーし得る。これらの信号は、信号と狭帯域領域との間にどのくらいの重複があるかに基づいて、別様に、様々な狭帯域領域のスケジューリングに影響を及ぼし得る。したがって、いくつかの場合には、サブフレームの利用可能性（たとえば、狭帯域通信のための利用可能性）が、サブフレーム中の１つまたは複数のチャネルまたは信号の構成に依存し得る。いくつかの場合には、サブフレーム中のすべてのＲＢが、構成に基づいて、狭帯域通信（たとえば、ＭＴＣ）のために利用不可能であり得る。他の場合には、ＲＢの一部または全部が狭帯域通信のために利用可能であり得る。キャリアが異なる狭帯域領域に分割される場合、各領域は、異なる利用可能性（たとえば、リソースブロック（ＲＢ）なし、いくつかのＲＢ、１つまたは複数のＲＢ中のいくつかのリソース、またはすべてのＲＢ）を有し得る。ＤＲＳのＰＲＳなど、シグナリングのサブフレーム依存の存在により、狭帯域領域の利用可能性は時間とともに変化し得る。いくつかの例では、狭帯域領域の特定のサブフレームが、完全に利用可能であるか、または完全に利用不可能であるかのいずれか（すなわち、ＲＢが利用可能にされないか、またはすべてのＲＢが利用可能にされるかのいずれか）であり得、たとえば、狭帯域中のＭＴＣのために少なくとも部分的に利用不可能な少なくとも１つのＲＢがある場合、領域全体が利用不可能であると仮定され得る。
【００４３】
[0051]代替的に、チャネルまたは信号がキャリア２０５のシステム帯域幅全体を占有しない場合でも、各領域が特定の狭帯域内での通信のために利用不可能にされ得る。別の例として、ＰＲＳ（または他のセル固有信号）の場合、サブフレーム利用可能性は領域依存であり得るが、ＤＲＳ（または他のＵＥ固有信号）の場合、サブフレーム利用可能性は領域に依存しないことがある。（たとえば、すべての領域がＤＲＳサブフレーム中で利用不可能であり得る）。サブフレーム利用可能性の決定は、暗黙的シグナリングまたは明示的シグナリングに基づき得る。暗黙的シグナリングの一例として、ＵＥ１１５−ａは、ＰＲＳ構成（ユニキャストまたはブロードキャストのいずれか）を受信し、サブフレーム中の領域がＰＲＳと重複するか否かを決定し、次いで、サブフレーム中の領域が通信（たとえば、ＭＴＣ）のために利用可能であるかどうかを決定し得る。
【００４４】
[0052]明示的シグナリングの一例として、ＵＥ１１５−ａは、ＭＴＣ動作のために利用可能であるサブフレームのセットを（たとえば、領域ごとに）受信し得る。異なる領域が、異なるサブフレーム利用可能性をシグナリングされ得る。グラニュラリティは、領域、ＲＢ、またはＲＢの部分に基づき得る。個々のＲＢまたはＲＢの部分に基づくグラニュラリティは、よりフレキシブルであり得るが、より高いオーバーヘッドを含み得る。
【００４５】
[0053]異なる領域が異なるサブフレーム利用可能性を有し得るとすれば、異なる領域の使用も異なり得る。たとえば、ＭＴＣまたはＭＴＣデバイス（たとえば、ＵＥ１１５−ａ）がカバレージ拡張を受け、したがって、サブフレーム（すなわち、ＴＴＩ）バンドリングを必要とする場合、より多くのサブフレーム利用可能性を有する領域のセット中のＴＴＩバンドリング動作を定義することが好ましいことがある。領域ホッピングがバンドル送信のためにサポートされる場合、領域のセットは、比較的より多くのサブフレーム利用可能性をもつ利用可能な領域のサブセットであり得る。
【００４６】
[0054]また、ユニキャストトラフィックと比較してブロードキャストトラフィックのために別様に狭帯域領域のためのリソース利用可能性決定を実行することが可能であり得る。ブロードキャストトラフィックの場合、狭帯域チャネルまたは信号が存在するサブフレーム中で、特定の狭帯域がチャネルまたは信号と部分的に衝突する場合でも、ブロードキャストトラフィックを送信するときにこれらの信号のためにレートマッチングが実行され得る。ユニキャストトラフィックの場合、狭帯域領域は、いくつかの例では、狭帯域がチャネルまたは信号と部分的にでも衝突する場合、完全にスキップされ得る。たとえば、狭帯域領域にわたるリソースホッピングがブロードキャストのために定義される場合、領域は、他のチャネルまたは信号との衝突にかかわらずすべて含まれ得る。ユニキャストの場合、ホッピングは、いくつかの事例では、もっぱら、リソース衝突なしの領域のために定義され得る。
【００４７】
[0055]したがって、いくつかの場合には、スケジュールされたトラフィックはブロードキャストトラフィックであり、サブフレームは、狭帯域（たとえば、ＭＴＣ）ブロードキャスト（すなわち、ページング、ＲＡＣＨ、またはＳＩＢトラフィック）のために少なくとも部分的に利用不可能である。しかしながら、狭帯域ブロードキャストトラフィックが少なくとも部分的に利用不可能である場合、狭帯域ユニキャストトラフィックが利用可能であり得る。ある場合には、帯域幅がしきい値（たとえば、３ＭＨｚ）よりも小さい場合、１つまたは複数の中心帯域がブロードキャスト（たとえば、ページング）トラフィックのために使用されないことがある。したがって、システム帯域幅がしきい値よりも小さいという決定に基づいて、サブフレームがページングトラフィックのために少なくとも部分的に利用不可能であるという決定が行われ得る。
【００４８】
[0056]いくつかの場合には、まばらなチャネルまたは信号のためのサブフレーム利用可能性にかかわらずＴＴＩバンドリングサイズを定義することが好ましいことがある。しかしながら、ＴＴＩバンドリング定義は、（ｅＭＢＭＳサブフレームなど）比較的密にスケジュールされたチャネルまたは信号によって影響を及ぼされるサブフレームを除外し得る。たとえば、ＦＤＤシステム中の８つのサブフレームのＴＴＩバンドリングサイズを仮定すると、バンドリングはＰＲＳ／ＤＲＳサブフレームをも含み得、これは、これらのサブフレームがいくつかの狭帯域領域中の通信（たとえば、ＭＴＣ）のために利用可能でないことがある場合でもまばらであり得る。しかしながら、バンドリングは、（より密にスケジュールされ得る）ｅＭＢＭＳサブフレームを除外し得る。
【００４９】
[0057]図３は、本開示の様々な態様による、狭帯域依存サブフレーム利用可能性決定のための帯域幅構造３００の一例を示す。帯域幅構造３００は、図１〜図２を参照しながら説明されたように、ＵＥ１１５および基地局１０５によって利用され得る。帯域幅構造３００は、（５０個のＲＢを含み得る）１０ＭＨｚの総帯域幅３０５を有するセルと、２５個のＲＢをカバーする帯域幅部分３１５をカバーするＰＲＳとの一例を示し得る。異なる帯域幅をもつ他の例も可能であり得る。
【００５０】
[0058]総帯域幅３０５は９つの狭帯域領域３１０を含み得る。いくつかの場合には、狭帯域領域は異なるサイズのものであり得る。たとえば、狭帯域領域３１０−ａ〜３１０−ｇは６つのＲＢを含み得、狭帯域領域３１０−ｈおよび３１０−ｉは４つのＲＢを含み得る。帯域幅部分３１５のために構成されたＰＲＳは、いくつかの領域と（たとえば、狭帯域領域３１０−ａ〜３１０−ｃと）完全に重複し得、他と（たとえば、狭帯域領域３１０−ｄおよび３１０−ｅと）部分的に重複し得る。
【００５１】
[0059]ＭＴＣデバイスまたは他のデバイスのためのスケジューリングは、信号またはチャネル（ＰＲＳなど）のために使用される帯域幅部分３１５に依存し得る。たとえば、総帯域幅３０５はＰＲＳサブフレーム（または他の信号のために使用されるサブフレーム）中に利用不可能であり得、いくつかのＲＢ（たとえば、部分的にカバーされた狭帯域領域３１０中でさえ、シグナリングのために使用されるＲＢ）が利用不可能であり得、またはいくつかの狭帯域領域３１０（たとえば、少なくとも部分的に帯域幅部分３１５によってカバーされたもの）が利用不可能であり得る。いくつかの例では、狭帯域領域３１０−ｆ〜３１０−ｉのために、好ましくは、大きいＴＴＩバンドリングが実行され得、狭帯域領域３１０−ａ〜３１０−ｅのために、好ましくは、ＴＴＩバンドリングが実行されないか、または限られたＴＴＩバンドリングが実行され得る。いくつかの場合には、デバイスは、狭帯域領域３１０−ｆ〜３１０−ｉなど、特定の領域内でのみ領域ホッピングを実行し得る。別の例では、たとえば、狭帯域領域３１０−ｄおよび３１０−ｅがフレームごとにｅＭＢＭＳのためのものであることをＵＥ１１５が示された場合、サイズ８のバンドリングは、それらの領域サブフレームをスキップすることができる。また別の例では、８つのサブフレームのバンドリングサイズは、３１０−ｄおよび３１０−ｅ以外の狭帯域領域を含むであろう。
【００５２】
[0060]図４は、本開示の様々な態様による、狭帯域依存サブフレーム利用可能性決定をサポートするシステムにおけるプロセスフロー４００の一例を示す。プロセスフロー４００は、図１〜図２を参照しながら本明細書で説明されたＵＥ１１５および基地局１０５の例であり得る、ＵＥ１１５−ｂと基地局１０５−ｂとを含み得る。
【００５３】
[0061]４０５において、ＵＥ１１５−ｂと基地局１０５−ｂとは、複数の狭帯域領域を含み得るキャリアを介して通信リンクを確立し得る。ＵＥ１１５−ｂと基地局１０５−ｂとは、たとえば、第１の狭帯域領域と第２の狭帯域領域とをもつキャリアを介して通信リンクを確立し得る。
【００５４】
[0062]いくつかの場合には、ＵＥ１１５−ｂと基地局１０５−ｂとはチャネル構成を識別し得る。チャネル構成に基づいて、第１のサブフレーム利用可能性と第２のサブフレーム利用可能性とが決定され得る。いくつかの例では、チャネル構成は、キャリアの帯域幅よりも小さい帯域幅を有する基準信号構成であり得るか、またはそれに関連し得る。いくつかの例では、基準信号構成は、測位基準信号構成、発見基準信号構成、１次同期信号（ＰＳＳ）構成、２次同期信号（ＳＳＳ）構成、物理ブロードキャストチャネル（ＰＢＣＨ）構成、またはそれらの任意の組合せを含む。
【００５５】
[0063]４１０において、ＵＥ１１５−ｂと基地局１０５−ｂとは、キャリアの１つまたは複数の狭帯域領域のためのサブフレーム利用可能性を決定し得る。たとえば、ＵＥ１１５−ｂと基地局１０５−ｂとは、第１の狭帯域領域のための第１のサブフレーム利用可能性と第２の狭帯域領域のための第２のサブフレーム利用可能性とを決定し得る。いくつかの例では、第１のサブフレーム利用可能性を決定することは、サブフレームが通信（たとえば、ＭＴＣ）のために利用可能であると決定すること、サブフレームが通信（たとえば、ＭＴＣ）のために少なくとも部分的に利用不可能であると決定すること、またはサブフレームの一部分が通信（たとえば、ＭＴＣ）のために利用可能であると決定することを含む。いくつかの例では、第１のサブフレーム利用可能性は第２のサブフレーム利用可能性とは異なる。
【００５６】
[0064]ＵＥ１１５−ｂと基地局１０５−ｂとは、サブフレーム利用可能性の指示を受信し得、したがって、第１のサブフレーム利用可能性または第２のサブフレーム利用可能性が、受信された指示に基づいて決定され得る。いくつかの例では、指示は、帯域幅、繰返しパターン、および周期性をもつ基準信号の構成であり、代替として、指示は、第２のサブフレーム利用可能性とは別々に第１のサブフレーム利用可能性を示す構成であり得る。いくつかの例では、第１のサブフレーム利用可能性を決定することは、第１の基準信号に基づいて、サブフレームが第１の狭帯域領域のために利用可能であると決定することを含み、第２のサブフレーム利用可能性を決定することは、第２の基準信号に基づいて、サブフレームが第２の狭帯域領域のために少なくとも部分的に利用不可能であると決定することを含む。いくつかの例では、第１の基準信号はセル固有（たとえば、ＣＲＳ）であり、第２の基準信号はＵＥ固有（たとえば、ＵＥ−ＲＳ）である。
【００５７】
[0065]ＵＥ１１５−ｂまたは基地局１０５−ｂ、あるいはその両方は、スケジュールされたトラフィックがユニキャストであるのかブロードキャストであるのかを決定し得、第１のサブフレーム利用可能性は、スケジュールされたトラフィックがユニキャストであるのかブロードキャストであるのかに基づいて決定され得る。ＵＥ１１５−ｂと基地局１０５−ｂとは、スケジュールされたトラフィックがブロードキャストトラフィックであると決定し得、したがって、第１のサブフレーム利用可能性を決定することが、ブロードキャストトラフィックに基づいて、サブフレームが通信のために利用可能であると決定することを含み得る。いくつかの場合には、ＵＥ１１５−ｂと基地局１０５−ｂとは、スケジュールされたトラフィックがユニキャストトラフィックであると決定し得、第１のサブフレーム利用可能性を決定することは、ユニキャストトラフィックに基づいて、サブフレームがＭＴＣのために少なくとも部分的に利用不可能であると決定することを含み得る。
【００５８】
[0066]４１５において、基地局１０５−ｂは、サブフレーム利用可能性に基づいて送信をスケジュールする。ＵＥ１１５−ｂまたは基地局１０５−ｂ、あるいはその両方は、ブロードキャストトラフィックに基づいて、スケジュールされたトラフィックをレートマッチングし得る。４２０において、基地局１０５−ｂは、サブフレーム利用可能性に基づいて情報を送信し得る（およびＵＥ１１５−ｂはそれを受信し得る）。ＵＥ１１５−ｂと基地局１０５−ｂとは、第１のサブフレーム利用可能性に基づいて第１の狭帯域領域を使用して、または第２のサブフレーム利用可能性に基づいて第２の狭帯域領域を使用して通信し得る。
【００５９】
[0067]いくつかの場合には、ＵＥ１１５−ｂと基地局１０５−ｂとは、チャネル構成に基づいて第１の狭帯域領域のための後続のサブフレーム利用可能性を決定し得る。いくつかの場合には、ＵＥ１１５−ｂと基地局１０５−ｂとは、第１のサブフレーム利用可能性に基づいて、ＴＴＩバンドリング構成がサブフレームを含むかどうかを決定し得る。いくつかの例では、ＴＴＩバンドリング構成は、第１の狭帯域領域のためのチャネルまたは基準信号による中断の頻度に基づく。いくつかの場合には、ＵＥ１１５−ｂと基地局１０５−ｂとは、第１のサブフレーム利用可能性に基づいて、ＴＴＩバンドリング構成を決定し得る。いくつかの場合には、ＵＥ１１５−ｂと基地局１０５−ｂとは、第１のサブフレーム利用可能性に基づいてＴＴＩバンドリング構成のための周波数ホッピング構成を識別し得る。いくつかの場合には、ＵＥ１１５−ｂと基地局１０５−ｂとは、スケジュールされたトラフィックがユニキャストであるのかブロードキャストであるのかを決定することに基づいて、周波数ホッピング構成を決定し得る。
【００６０】
[0068]図５は、本開示の様々な態様による、狭帯域依存サブフレーム利用可能性決定をサポートするワイヤレスデバイス５００のブロック図を示す。ワイヤレスデバイス５００は、図１〜図４を参照しながら説明されたＵＥ１１５の態様の一例であり得る。ワイヤレスデバイス５００は、受信機５０５、サブフレーム利用可能性モジュール５１０、または送信機５１５を含み得る。ワイヤレスデバイス５００はプロセッサをも含み得る。これらの構成要素の各々は互いと通信していることがある。
【００６１】
[0069]受信機５０５は、パケット、ユーザデータ、または様々な情報チャネルに関連する制御情報（たとえば、制御チャネル、データチャネル、およびＭＴＣのための狭帯域依存サブフレーム利用可能性に関係する情報など）などの情報を受信し得る。情報は、サブフレーム利用可能性モジュール５１０に、およびワイヤレスデバイス５００の他の構成要素に受け渡され得る。いくつかの例では、受信機５０５は、サブフレーム利用可能性の指示を受信し得、したがって、第１のサブフレーム利用可能性または第２のサブフレーム利用可能性が、受信された指示に基づいて決定され得る。いくつかの例では、指示は、帯域幅、繰返しパターン、および周期性をもつ基準信号の構成、または第２のサブフレーム利用可能性とは別々に第１のサブフレーム利用可能性を示す構成、あるいはその両方を含む。
【００６２】
[0070]サブフレーム利用可能性モジュール５１０は、第１の狭帯域領域と第２の狭帯域領域とを含むキャリアを介して通信リンクを確立することと、第１の狭帯域領域のための第１のサブフレーム利用可能性と第２の狭帯域領域のための第２のサブフレーム利用可能性とを決定することと、第１のサブフレーム利用可能性に基づいて第１の狭帯域領域を使用して、または第２のサブフレーム利用可能性に基づいて第２の狭帯域領域を使用して通信することとを行い得る。
【００６３】
[0071]送信機５１５は、ワイヤレスデバイス５００の他の構成要素から受信された信号を送信し得る。いくつかの例では、送信機５１５は、トランシーバモジュールにおいて受信機５０５とコロケートされ得る。送信機５１５は単一のアンテナを含み得るか、またはそれは複数のアンテナを含み得る。
【００６４】
[0072]図６は、本開示の様々な態様による、狭帯域依存サブフレーム利用可能性決定をサポートするワイヤレスデバイス６００のブロック図を示す。ワイヤレスデバイス６００は、図１〜図５を参照しながら説明されたワイヤレスデバイス５００またはＵＥ１１５の態様の一例であり得る。ワイヤレスデバイス６００は、受信機５０５−ａ、サブフレーム利用可能性モジュール５１０−ａ、または送信機５１５−ａを含み得る。ワイヤレスデバイス６００はプロセッサをも含み得る。これらの構成要素の各々は互いと通信していることがある。また、サブフレーム利用可能性モジュール５１０−ａは、狭帯域通信モジュール６０５と、利用可能性決定モジュール６１０と、利用可能性ベース通信モジュール６１５とを含み得る。
【００６５】
[0073]受信機５０５−ａは、サブフレーム利用可能性モジュール５１０−ａに、およびワイヤレスデバイス６００の他の構成要素に受け渡され得る情報を受信し得る。サブフレーム利用可能性モジュール５１０−ａは、図５を参照しながら説明された動作を実行し得る。送信機５１５−ａは、ワイヤレスデバイス６００の他の構成要素から受信された信号を送信し得る。
【００６６】
[0074]狭帯域通信モジュール６０５は、図２〜図４を参照しながら説明されたように、第１の狭帯域領域と第２の狭帯域領域とを含むキャリアを介して通信リンクを確立し得る。
【００６７】
[0075]利用可能性決定モジュール６１０は、図２〜図４を参照しながら説明されたように、第１の狭帯域領域のための第１のサブフレーム利用可能性と第２の狭帯域領域のための第２のサブフレーム利用可能性とを決定し得る。利用可能性決定モジュール６１０はまた、チャネル構成に基づいて第１の狭帯域領域のための後続のサブフレーム利用可能性を決定し得る。いくつかの例では、第１のサブフレーム利用可能性を決定することは、サブフレームがＭＴＣのために利用可能であり得ると決定すること、サブフレームがＭＴＣのために少なくとも部分的に利用不可能であり得ると決定すること、またはサブフレームの一部分がＭＴＣのために利用可能であり得ると決定することを含む。
【００６８】
[0076]いくつかの例では、第１のサブフレーム利用可能性は第２のサブフレーム利用可能性とは異なり得る。したがって、第１のサブフレーム利用可能性を決定することは、第１の基準信号に基づいて、サブフレームが第１の狭帯域領域のために利用可能であると決定することを含み得、第２のサブフレーム利用可能性を決定することは、第２の基準信号に基づいて、サブフレームが第２の狭帯域領域のために少なくとも部分的に利用不可能であると決定することを含み得る。いくつかの例では、第１の基準信号はＣＲＳであり得、第２の基準信号はＵＥ−ＲＳであり得る。
【００６９】
[0077]利用可能性ベース通信モジュール６１５は、図２〜図４を参照しながら説明されたように、第１のサブフレーム利用可能性に基づいて第１の狭帯域領域を使用して、または第２のサブフレーム利用可能性に基づいて第２の狭帯域領域を使用して通信し得る。
【００７０】
[0078]図７は、本開示の様々な態様による、ワイヤレスデバイス５００またはワイヤレスデバイス６００の構成要素であり得、とともに狭帯域依存サブフレーム利用可能性決定をサポートし得る、サブフレーム利用可能性モジュール５１０−ｂのブロック図７００を示す。サブフレーム利用可能性モジュール５１０−ｂは、図５〜図６を参照しながら説明されたサブフレーム利用可能性モジュール５１０の態様の一例であり得る。サブフレーム利用可能性モジュール５１０−ｂは、狭帯域通信モジュール６０５−ａと、利用可能性決定モジュール６１０−ａと、利用可能性ベース通信モジュール６１５−ａとを含み得る。これらのモジュールの各々は、図６を参照しながら説明された機能を実行し得る。サブフレーム利用可能性モジュール５１０−ｂは、チャネル構成モジュール７０５と、ＴＴＩバンドリングモジュール７１０と、周波数ホッピングモジュール７１５と、トラフィックタイプモジュール７２０と、レートマッチングモジュール７２５とをも含み得る。
【００７１】
[0079]チャネル構成モジュール７０５は、図２〜図４を参照しながら説明されたように、チャネル構成を識別し得る。いくつかの例では、第１のサブフレーム利用可能性と第２のサブフレーム利用可能性とは、チャネル構成に基づいて決定される。いくつかの例では、チャネル構成は、キャリアの帯域幅よりも小さい帯域幅を有する基準信号構成であり得る。いくつかの例では、基準信号構成は、測位基準信号構成、発見基準信号構成、１次同期信号（ＰＳＳ）構成、２次同期信号（ＳＳＳ）構成、物理ブロードキャストチャネル（ＰＢＣＨ）構成、またはそれらの任意の組合せを含む。
【００７２】
[0080]ＴＴＩバンドリングモジュール７１０は、図２〜図４を参照しながら説明されたように、第１のサブフレーム利用可能性に基づいて、ＴＴＩバンドリング構成がサブフレームを含むかどうかを決定し得る。いくつかの例では、ＴＴＩバンドリング構成は、第１の狭帯域領域のためのチャネルまたは基準信号による中断の頻度に基づき得る。また、ＴＴＩバンドリングモジュール７１０は、第１のサブフレーム利用可能性に基づいてＴＴＩバンドリング構成を決定し得る。
【００７３】
[0081]周波数ホッピングモジュール７１５は、図２〜図４を参照しながら説明されたように、第１のサブフレーム利用可能性に部分基づいて、ＴＴＩバンドリング構成のための周波数ホッピング構成を識別し得る。周波数ホッピングモジュール７１５はまた、スケジュールされたトラフィックがユニキャストであるのかブロードキャストであるのかを決定することに基づいて、周波数ホッピング構成を決定し得る。
【００７４】
[0082]トラフィックタイプモジュール７２０は、図２〜図４を参照しながら説明されたように、スケジュールされたトラフィックがユニキャストであるのかブロードキャストであるのかを決定し得、したがって、スケジュールされたトラフィックがユニキャストであるのかブロードキャストであるのかに基づいて第１のサブフレーム利用可能性が決定され得る。トラフィックタイプモジュール７２０はまた、スケジュールされたトラフィックがブロードキャストトラフィックであると決定し得、したがって、第１のサブフレーム利用可能性を決定することが、ブロードキャストトラフィックに基づいて、サブフレームが通信（たとえば、ＭＴＣ）のために利用可能であると決定することを含み得る。トラフィックタイプモジュール７２０はまた、スケジュールされたトラフィックがユニキャストトラフィックであると決定し得、したがって、第１のサブフレーム利用可能性を決定することが、ユニキャストトラフィックに基づいて、サブフレームが少なくとも部分的に利用不可能であると決定することを含み得る。
【００７５】
[0083]レートマッチングモジュール７２５は、図２〜図４を参照しながら説明されたように、ブロードキャストトラフィックに基づいて、スケジュールされたトラフィックをレートマッチングし得る。
【００７６】
[0084]図８は、本開示の様々な態様による、狭帯域依存サブフレーム利用可能性決定をサポートするＵＥを含む、システム８００の図を示す。システム８００は、図１、図２、および図４〜図７を参照しながら説明されたワイヤレスデバイス５００、ワイヤレスデバイス６００、またはＵＥ１１５の一例であり得る、ＵＥ１１５−ｃを含み得る。ＵＥ１１５−ｃは、図５〜図７を参照しながら説明されたサブフレーム利用可能性モジュール５１０の一例であり得る、サブフレーム利用可能性モジュール８１０を含み得る。ＵＥ１１５−ｃはＭＴＣモジュール８２５をも含み得る。ＵＥ１１５−ｃは、通信を送信するための構成要素と通信を受信するための構成要素とを含む、双方向音声およびデータ通信のための構成要素をも含み得る。たとえば、ＵＥ１１５−ｃは基地局１０５−ｃと双方向に通信し得る。
【００７７】
[0085]ＭＴＣモジュール８２５は、図１を参照しながら説明されたように、ＵＥ１１５−ｃがＭＴＣ固有プロシージャを使用して通信することを可能にし得る。たとえば、ＭＴＣモジュール８２５は、カバレージ拡張プロシージャまたは狭帯域動作を可能にし得る。
【００７８】
[0086]ＵＥ１１５−ｃは、プロセッサ８０５と、（ソフトウェア（ＳＷ）８２０を含む）メモリ８１５と、トランシーバ８３５と、１つまたは複数のアンテナ８４０とをも含み得、それらの各々は、（たとえば、バス８４５を介して）直接または間接的に互いと通信し得る。トランシーバ８３５は、上記で説明されたように、（１つまたは複数の）アンテナ８４０あるいはワイヤードリンクまたはワイヤレスリンクを介して、１つまたは複数のネットワークと双方向に通信し得る。たとえば、トランシーバ８３５は、基地局１０５または別のＵＥ１１５と双方向に通信し得る。トランシーバ８３５は、パケットを変調し、変調されたパケットを送信のために（１つまたは複数の）アンテナ８４０に与え、（１つまたは複数の）アンテナ８４０から受信されたパケットを復調するためのモデムを含み得る。ＵＥ１１５−ｃは単一のアンテナ８４０を含み得るが、ＵＥ１１５−ｃはまた、複数のワイヤレス送信をコンカレントに送信または受信することが可能な複数のアンテナ８４０を有し得る。
【００７９】
[0087]メモリ８１５は、ランダムアクセスメモリ（ＲＡＭ）および読取り専用メモリ（ＲＯＭ）を含み得る。メモリ８１５は、実行されたとき、プロセッサ８０５に本明細書で説明される様々な機能（たとえば、ＭＴＣのための狭帯域依存サブフレーム利用可能性など）を実行させる命令を含むコンピュータ可読、コンピュータ実行可能ソフトウェア／ファームウェアコード８２０を記憶し得る。代替的に、ソフトウェア／ファームウェアコード８２０は、プロセッサ８０５によって直接的に実行可能でないことがあるが、（たとえば、コンパイルされ実行されたとき）コンピュータに本明細書で説明される機能を実行させ得る。プロセッサ８０５は、インテリジェントハードウェアデバイス、（たとえば、中央処理ユニット（ＣＰＵ）、マイクロコントローラ、特定用途向け集積回路（ＡＳＩＣ）など）を含み得る
[0088]図９は、本開示の様々な態様による、狭帯域依存サブフレーム利用可能性決定をサポートする基地局を含むシステム９００の図を示す。システム９００は、図１、図２、および図４〜図８を参照しながら説明されたワイヤレスデバイス５００、ワイヤレスデバイス６００、または基地局１０５の一例であり得る、基地局１０５−ｄを含み得る。基地局１０５−ｄは、図５〜図７を参照しながら説明された基地局サブフレーム利用可能性モジュール９１０の一例であり得る、基地局サブフレーム利用可能性モジュール９１０を含み得る。基地局１０５−ｄは、通信を送信するための構成要素と通信を受信するための構成要素とを含む、双方向音声およびデータ通信のための構成要素をも含み得る。たとえば、基地局１０５−ｄは、ＵＥ１１５−ｄまたはＵＥ１１５−ｅと双方向に通信し得る。
【００８０】
[0089]いくつかの場合には、基地局１０５−ｄは１つまたは複数のワイヤードバックホールリンクを有し得る。基地局１０５−ｄは、コアネットワーク１３０へのワイヤードバックホールリンク（たとえば、Ｓ１インターフェースなど）を有し得る。基地局１０５−ｄはまた、基地局間バックホールリンク（たとえば、Ｘ２インターフェース）を介して、基地局１０５−ｅおよび基地局１０５−ｆなど、他の基地局１０５と通信し得る。基地局１０５の各々は、同じまたは異なるワイヤレス通信技術を使用してＵＥ１１５と通信し得る。いくつかの場合には、基地局１０５−ｄは、基地局通信モジュール９２５を利用して１０５−ｅまたは１０５−ｆなどの他の基地局と通信し得る。いくつかの例では、基地局通信モジュール９２５は、基地局１０５のうちのいくつかの間の通信を行うために、ＬＴＥ／ＬＴＥ−Ａワイヤレス通信ネットワーク技術内のＸ２インターフェースを与え得る。いくつかの例では、基地局１０５−ｄは、コアネットワーク１３０を通して他の基地局と通信し得る。いくつかの場合には、基地局１０５−ｄは、ネットワーク通信モジュール９３０を通してコアネットワーク１３０と通信し得る。
【００８１】
[0090]基地局１０５−ｄは、プロセッサ９０５と、（ソフトウェア（ＳＷ）９２０を含む）メモリ９１５と、トランシーバ９３５と、（１つまたは複数の）アンテナ９４０とを含み得、それらの各々は、（たとえば、バスシステム９４５を介して）直接または間接的に互いと通信していることがある。トランシーバ９３５は、（１つまたは複数の）アンテナ９４０を介して、マルチモードデバイスであり得るＵＥ１１５と双方向に通信するように構成され得る。トランシーバ９３５（または基地局１０５−ｄの他の構成要素）はまた、アンテナ９４０を介して、１つまたは複数の他の基地局（図示せず）と双方向に通信するように構成され得る。トランシーバ９３５は、パケットを変調し、変調されたパケットを送信のためにアンテナ９４０に与え、アンテナ９４０から受信されたパケットを復調するように構成されたモデムを含み得る。基地局１０５−ｄは、各々が１つまたは複数の関連するアンテナ９４０をもつ、複数のトランシーバ９３５を含み得る。トランシーバは、図５の組み合わせられた受信機５０５および送信機５１５の一例であり得る。
【００８２】
[0091]メモリ９１５はＲＡＭおよびＲＯＭを含み得る。メモリ９１５はまた、実行されたとき、プロセッサ９０５に本明細書で説明される様々な機能（たとえば、ＭＴＣのための狭帯域依存サブフレーム利用可能性、カバレージ拡張技法を選択すること、呼処理、データベース管理、メッセージルーティングなど）を実行させるように構成された命令を含んでいるコンピュータ可読、コンピュータ実行可能ソフトウェアコード９２０を記憶し得る。代替的に、ソフトウェアコード９２０は、プロセッサ９０５によって直接的に実行可能でないことがあるが、たとえば、コンパイルされ実行されたとき、コンピュータに本明細書で説明される機能を実行させるように構成され得る。プロセッサ９０５は、インテリジェントハードウェアデバイス、たとえば、ＣＰＵ、マイクロコントローラ、ＡＳＩＣなどを含み得る。プロセッサ９０５は、エンコーダ、キュー処理モジュール、ベースバンドプロセッサ、無線ヘッドコントローラ、デジタル信号プロセッサ（ＤＳＰ）など、様々な専用プロセッサを含み得る。
【００８３】
[0092]基地局通信モジュール９２５は、他の基地局１０５との通信を管理し得る。いくつかの場合には、通信管理モジュールは、他の基地局１０５と協働してＵＥ１１５との通信を制御するためのコントローラまたはスケジューラを含み得る。たとえば、基地局通信モジュール９２５は、ビームフォーミングまたはジョイント送信などの様々な干渉緩和技法のためのＵＥ１１５への送信のためのスケジューリングを協調させ得る。
【００８４】
[0093]ワイヤレスデバイス５００、ワイヤレスデバイス６００、サブフレーム利用可能性モジュール５１０、ＵＥ１１５−ｅ、または基地局１０５−ｄの構成要素はそれぞれ、適用可能な機能の一部または全部をハードウェアで実行するように適応された少なくとも１つのＡＳＩＣを用いて、個々にまたはまとめて実装され得る。代替的に、それらの機能は、１つまたは複数の他の処理ユニット（またはコア）によって、少なくとも１つのＩＣ上で実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、または別のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００８５】
[0094]図１０は、本開示の様々な態様による、狭帯域依存サブフレーム利用可能性決定または利用のための方法１０００を示すフローチャートを示す。方法１０００の動作は、図１〜図９を参照しながら説明されたように、ＵＥ１１５または基地局１０５あるいはそれの構成要素によって実装され得る。たとえば、方法１０００の動作は、図５〜図８を参照しながら説明されたように、サブフレーム利用可能性モジュール５１０によって実行され得る。いくつかの例では、ワイヤレスデバイスは、以下で説明される機能を実行するようにワイヤレスデバイスの機能要素を制御するためのコードのセットを実行し得る。追加または代替として、ワイヤレスデバイスは、専用ハードウェアを使用して、以下で説明される機能態様を実行し得る。
【００８６】
[0095]ブロック１００５において、ワイヤレスデバイスは、図２〜図４を参照しながら説明されたように、第１の狭帯域領域と第２の狭帯域領域とを含むキャリアを介して通信リンクを確立する。いくつかの例では、ブロック１００５の動作は、図６を参照しながら説明されたように、狭帯域通信モジュール６０５によって実行され得る。
【００８７】
[0096]ブロック１０１０において、ワイヤレスデバイスは、図２〜図４を参照しながら説明されたように、第１の狭帯域領域のための第１のサブフレーム利用可能性と第２の狭帯域領域のための第２のサブフレーム利用可能性とを決定する。いくつかの例では、ブロック１０１０の動作は、図６を参照しながら説明されたように、利用可能性決定モジュール６１０によって実行され得る。
【００８８】
[0097]ブロック１０１５において、ワイヤレスデバイスは、図２〜図４を参照しながら説明されたように、第１のサブフレーム利用可能性に少なくとも部分的に基づいて第１の狭帯域領域を使用して、または第２のサブフレーム利用可能性に少なくとも部分的に基づいて第２の狭帯域領域を使用して通信する。いくつかの例では、ブロック１０１５の動作は、図６を参照しながら説明されたように、利用可能性ベース通信モジュール６１５によって実行され得る。
【００８９】
[0098]図１１は、本開示の様々な態様による、狭帯域依存サブフレーム利用可能性決定または利用のための方法１１００を示すフローチャートを示す。方法１１００の動作は、図１〜図９を参照しながら説明されたように、ＵＥ１１５または基地局１０５あるいはそれの構成要素によって実装され得る。たとえば、方法１１００の動作は、図５〜図８を参照しながら説明されたように、サブフレーム利用可能性モジュール５１０によって実行され得る。いくつかの例では、ワイヤレスデバイスは、以下で説明される機能を実行するようにワイヤレスデバイスの機能要素を制御するためのコードのセットを実行し得る。追加または代替として、ワイヤレスデバイスは、専用ハードウェアを使用して、以下で説明される機能態様を実行し得る。方法１１００はまた、図１０の方法１０００の態様を組み込み得る。
【００９０】
[0099]ブロック１１０５において、ワイヤレスデバイスは、図２〜図４を参照しながら説明されたように、第１の狭帯域領域と第２の狭帯域領域とを含むキャリアを介して通信リンクを確立する。いくつかの例では、ブロック１１０５の動作は、図６を参照しながら説明されたように、狭帯域通信モジュール６０５によって実行され得る。
【００９１】
[0100]ブロック１１１０において、ワイヤレスデバイスは、図２〜図４を参照しながら説明されたように、チャネル構成を識別する。いくつかの例では、ブロック１１１０の動作は、図７を参照しながら説明されたように、チャネル構成モジュール７０５によって実行され得る。
【００９２】
[0101]ブロック１１１５において、ワイヤレスデバイスは、図２〜図４を参照しながら説明されたように、第１の狭帯域領域のための第１のサブフレーム利用可能性と第２の狭帯域領域のための第２のサブフレーム利用可能性とを決定する。いくつかの場合には、第１のサブフレーム利用可能性と第２のサブフレーム利用可能性とは、チャネル構成に少なくとも部分的に基づいて決定される。いくつかの例では、ブロック１１１５の動作は、図６を参照しながら説明されたように、利用可能性決定モジュール６１０によって実行され得る。
【００９３】
[0102]ブロック１１２０において、ワイヤレスデバイスは、図２〜図４を参照しながら説明されたように、第１のサブフレーム利用可能性に少なくとも部分的に基づいて第１の狭帯域領域を使用して、または第２のサブフレーム利用可能性に少なくとも部分的に基づいて第２の狭帯域領域を使用して通信する。いくつかの例では、ブロック１１２０の動作は、図６を参照しながら説明されたように、利用可能性ベース通信モジュール６１５によって実行され得る。
【００９４】
[0103]図１２は、本開示の様々な態様による、狭帯域依存サブフレーム利用可能性決定または利用のための方法１２００を示すフローチャートを示す。方法１２００の動作は、図１〜図９を参照しながら説明されたように、ＵＥ１１５または基地局１０５あるいはそれの構成要素によって実装され得る。たとえば、方法１２００の動作は、図５〜図８を参照しながら説明されたように、サブフレーム利用可能性モジュール５１０によって実行され得る。いくつかの例では、ワイヤレスデバイスは、以下で説明される機能を実行するようにワイヤレスデバイスの機能要素を制御するためのコードのセットを実行し得る。追加または代替として、ワイヤレスデバイスは、専用ハードウェアを使用して、以下で説明される機能態様を実行し得る。方法１２００はまた、図１０〜図１１の方法１０００、および１１００の態様を組み込み得る。
【００９５】
[0104]ブロック１２０５において、ワイヤレスデバイスは、図２〜図４を参照しながら説明されたように、第１の狭帯域領域と第２の狭帯域領域とを含むキャリアを介して通信リンクを確立する。いくつかの例では、ブロック１２０５の動作は、図６を参照しながら説明されたように、狭帯域通信モジュール６０５によって実行され得る。
【００９６】
[0105]ブロック１２１０において、ワイヤレスデバイスは、図２〜図４を参照しながら説明されたように、サブフレーム利用可能性の指示を受信し、したがって、第１のサブフレーム利用可能性または第２のサブフレーム利用可能性が、受信された指示に少なくとも部分的に基づいて決定される。いくつかの例では、ブロック１２１０の動作は、図５を参照しながら説明されたように、受信機５０５によって実行され得る。
【００９７】
[0106]ブロック１２１５において、ワイヤレスデバイスは、図２〜図４を参照しながら説明されたように、第１の狭帯域領域のための第１のサブフレーム利用可能性と第２の狭帯域領域のための第２のサブフレーム利用可能性とを決定する。いくつかの例では、ブロック１２１５の動作は、図６を参照しながら説明されたように、利用可能性決定モジュール６１０によって実行され得る。
【００９８】
[0107]ブロック１２２０において、ワイヤレスデバイスは、図２〜図４を参照しながら説明されたように、第１のサブフレーム利用可能性に少なくとも部分的に基づいて第１の狭帯域領域を使用して、または第２のサブフレーム利用可能性に少なくとも部分的に基づいて第２の狭帯域領域を使用して通信する。いくつかの例では、ブロック１２２０の動作は、図６を参照しながら説明されたように、利用可能性ベース通信モジュール６１５によって実行され得る。
【００９９】
[0108]図１３は、本開示の様々な態様による、狭帯域依存サブフレーム利用可能性決定または利用のための方法１３００を示すフローチャートを示す。方法１３００の動作は、図１〜図９を参照しながら説明されたように、ＵＥ１１５または基地局１０５あるいはそれの構成要素によって実装され得る。たとえば、方法１３００の動作は、図５〜図８を参照しながら説明されたように、サブフレーム利用可能性モジュール５１０によって実行され得る。いくつかの例では、ワイヤレスデバイスは、以下で説明される機能を実行するようにワイヤレスデバイスの機能要素を制御するためのコードのセットを実行し得る。追加または代替として、ワイヤレスデバイスは、専用ハードウェアを使用して、以下で説明される機能態様を実行し得る。方法１３００はまた、図１０〜図１２の方法１０００、１１００、および１２００の態様を組み込み得る。
【０１００】
[0109]ブロック１３０５において、ワイヤレスデバイスは、図２〜図４を参照しながら説明されたように、第１の狭帯域領域と第２の狭帯域領域とを含むキャリアを介して通信リンクを確立する。いくつかの例では、ブロック１３０５の動作は、図６を参照しながら説明されたように、狭帯域通信モジュール６０５によって実行され得る。
【０１０１】
[0110]ブロック１３１０において、ワイヤレスデバイスは、図２〜図４を参照しながら説明されたように、第１の狭帯域領域のための第１のサブフレーム利用可能性と第２の狭帯域領域のための第２のサブフレーム利用可能性とを決定する。いくつかの例では、ブロック１３１０の動作は、図６を参照しながら説明されたように、利用可能性決定モジュール６１０によって実行され得る。
【０１０２】
[0111]ブロック１３１５において、ワイヤレスデバイスは、図２〜図４を参照しながら説明されたように、第１のサブフレーム利用可能性に少なくとも部分的に基づいて、ＴＴＩバンドリング構成がサブフレームを含むかどうかを決定する。いくつかの例では、ブロック１３１５の動作は、図７を参照しながら説明されたように、ＴＴＩバンドリングモジュール７１０によって実行され得る。
【０１０３】
[0112]ブロック１３２０において、ワイヤレスデバイスは、図２〜図４を参照しながら説明されたように、第１のサブフレーム利用可能性に少なくとも部分的に基づいて第１の狭帯域領域を使用して、または第２のサブフレーム利用可能性に少なくとも部分的に基づいて第２の狭帯域領域を使用して通信する。いくつかの例では、ブロック１３２０の動作は、図６を参照しながら説明されたように、利用可能性ベース通信モジュール６１５によって実行され得る。
【０１０４】
[0113]図１４は、本開示の様々な態様による、狭帯域依存サブフレーム利用可能性決定または利用のための方法１４００を示すフローチャートを示す。方法１４００の動作は、図１〜図９を参照しながら説明されたように、ＵＥ１１５または基地局１０５あるいはそれの構成要素によって実装され得る。たとえば、方法１４００の動作は、図５〜図８を参照しながら説明されたように、サブフレーム利用可能性モジュール５１０によって実行され得る。いくつかの例では、ワイヤレスデバイスは、以下で説明される機能を実行するようにワイヤレスデバイスの機能要素を制御するためのコードのセットを実行し得る。追加または代替として、ワイヤレスデバイスは、専用ハードウェアを使用して、以下で説明される機能態様を実行し得る。方法１４００はまた、図１０〜図１３の方法１０００、１１００、１２００、および１３００の態様を組み込み得る。
【０１０５】
[0114]ブロック１４０５において、ワイヤレスデバイスは、図２〜図４を参照しながら説明されたように、第１の狭帯域領域と第２の狭帯域領域とを含むキャリアを介して通信リンクを確立する。いくつかの例では、ブロック１４０５の動作は、図６を参照しながら説明されたように、狭帯域通信モジュール６０５によって実行され得る。
【０１０６】
[0115]ブロック１４１０において、ワイヤレスデバイスは、図２〜図４を参照しながら説明されたように、スケジュールされたトラフィックがユニキャストであるのかブロードキャストであるのかを決定し、したがって、スケジュールされたトラフィックがユニキャストであるのかブロードキャストであるのかに少なくとも部分的に基づいて第１のサブフレーム利用可能性が決定される。いくつかの例では、ブロック１４１０の動作は、図７を参照しながら説明されたように、トラフィックタイプモジュール７２０によって実行され得る。
【０１０７】
[0116]ブロック１４１５において、ワイヤレスデバイスは、図２〜図４を参照しながら説明されたように、スケジュールされたトラフィックがブロードキャストトラフィックであると決定し、したがって、第１のサブフレーム利用可能性を決定することが、ブロードキャストトラフィックに少なくとも部分的に基づいて、サブフレームがＭＴＣのために利用可能であると決定することを含む。いくつかの例では、ワイヤレスデバイスは、スケジュールされたトラフィックがブロードキャストトラフィックであると決定することに基づいて、サブフレームが狭帯域通信のために少なくとも部分的に利用不可能であると決定し得る。いくつかの例では、ブロック１４１５の動作は、図７を参照しながら説明されたように、トラフィックタイプモジュール７２０によって実行され得る。
【０１０８】
[0117]ブロック１４２０において、ワイヤレスデバイスは、図２〜図４を参照しながら説明されたように、第１の狭帯域領域のための第１のサブフレーム利用可能性と第２の狭帯域領域のための第２のサブフレーム利用可能性とを決定する。いくつかの例では、ブロック１４２０の動作は、図６を参照しながら説明されたように、利用可能性決定モジュール６１０によって実行され得る。
【０１０９】
[0118]ブロック１４２５において、ワイヤレスデバイスは、図２〜図４を参照しながら説明されたように、ブロードキャストトラフィックに少なくとも部分的に基づいて、スケジュールされたトラフィックをレートマッチングする。いくつかの例では、ブロック１４２５の動作は、図７を参照しながら説明されたように、レートマッチングモジュール７２５によって実行され得る。
【０１１０】
[0119]ブロック１４３０において、ワイヤレスデバイスは、図２〜図４を参照しながら説明されたように、第１のサブフレーム利用可能性に少なくとも部分的に基づいて第１の狭帯域領域を使用して、または第２のサブフレーム利用可能性に少なくとも部分的に基づいて第２の狭帯域領域を使用して通信する。いくつかの例では、ブロック１４３０の動作は、図６を参照しながら説明されたように、利用可能性ベース通信モジュール６１５によって実行され得る。
【０１１１】
[0120]図１５は、本開示の様々な態様による、狭帯域依存サブフレーム利用可能性決定または利用のための方法１５００を示すフローチャートを示す。方法１５００の動作は、図１〜図９を参照しながら説明されたように、ＵＥ１１５または基地局１０５あるいはそれの構成要素によって実装され得る。たとえば、方法１５００の動作は、図５〜図８を参照しながら説明されたように、サブフレーム利用可能性モジュール５１０によって実行され得る。いくつかの例では、ワイヤレスデバイスは、以下で説明される機能を実行するようにワイヤレスデバイスの機能要素を制御するためのコードのセットを実行し得る。追加または代替として、ワイヤレスデバイスは、専用ハードウェアを使用して、以下で説明される機能態様を実行し得る。方法１５００はまた、図１０〜図１４の方法１０００、１１００、１２００、１３００、および１４００の態様を組み込み得る。
【０１１２】
[0121]ブロック１５０５において、ワイヤレスデバイスは、図２〜図４を参照しながら説明されたように、第１の狭帯域領域と第２の狭帯域領域とを含むキャリアを介して通信リンクを確立する。いくつかの例では、ブロック１５０５の動作は、図６を参照しながら説明されたように、狭帯域通信モジュール６０５によって実行され得る。
【０１１３】
[0122]ブロック１５１０において、ワイヤレスデバイスは、図２〜図４を参照しながら説明されたように、スケジュールされたトラフィックがユニキャストであるのかブロードキャストであるのかを決定し、したがって、スケジュールされたトラフィックがユニキャストであるのかブロードキャストであるのかに少なくとも部分的に基づいて第１のサブフレーム利用可能性が決定される。いくつかの例では、ブロック１５１０の動作は、図７を参照しながら説明されたように、トラフィックタイプモジュール７２０によって実行され得る。
【０１１４】
[0123]ブロック１５１５において、ワイヤレスデバイスは、図２〜図４を参照しながら説明されたように、スケジュールされたトラフィックがユニキャストトラフィックであると決定し、したがって、第１のサブフレーム利用可能性を決定することが、ユニキャストトラフィックに少なくとも部分的に基づいて、サブフレームがＭＴＣのために少なくとも部分的に利用不可能であると決定することを含む。いくつかの例では、ワイヤレスデバイスは、サブフレームがブロードキャストトラフィックのために少なくとも部分的に利用不可能である（たとえば、サブフレームがユニキャストトラフィックのために利用可能である）という決定に基づいて、サブフレームが狭帯域通信のために利用可能であると決定し得る。いくつかの例では、ブロック１５１５の動作は、図７を参照しながら説明されたように、トラフィックタイプモジュール７２０によって実行され得る。
【０１１５】
[0124]ブロック１５２０において、ワイヤレスデバイスは、図２〜図４を参照しながら説明されたように、第１の狭帯域領域のための第１のサブフレーム利用可能性と第２の狭帯域領域のための第２のサブフレーム利用可能性とを決定する。いくつかの例では、ブロック１５２０の動作は、図６を参照しながら説明されたように、利用可能性決定モジュール６１０によって実行され得る。
【０１１６】
[0125]ブロック１５２５において、ワイヤレスデバイスは、図２〜図４を参照しながら説明されたように、第１のサブフレーム利用可能性に少なくとも部分的に基づいて第１の狭帯域領域を使用して、または第２のサブフレーム利用可能性に少なくとも部分的に基づいて第２の狭帯域領域を使用して通信する。いくつかの例では、ブロック１５２５の動作は、図６を参照しながら説明されたように、利用可能性ベース通信モジュール６１５によって実行され得る。
【０１１７】
[0126]したがって、方法１０００、１１００、１２００、１３００、１４００、および１５００は、ＭＴＣのための狭帯域依存サブフレーム利用可能性を与え得る。方法１０００、１１００、１２００、１３００、１４００、および１５００は可能な実装形態について説明していること、ならびに動作およびステップは、他の実装形態が可能であるように、並べ替えられるかまたは場合によっては変更され得ることに留意されたい。いくつかの例では、方法１０００、１１００、１２００、１３００、１４００、および１５００のうちの２つまたはそれ以上からの態様が組み合わせられ得る。
【０１１８】
[0127]本明細書の説明は、例を与えるものであり、特許請求の範囲に記載される範囲、適用可能性、または例を限定するものではない。本開示の範囲から逸脱することなく、説明される要素の機能および構成において変更が行われ得る。様々な例は、適宜に様々なプロシージャまたは構成要素を省略、置換、または追加し得る。また、いくつかの例に関して説明される特徴は、他の例において組み合わせられ得る。
【０１１９】
[0128]本明細書で説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語は、しばしば互換的に使用される。符号分割多元接続（ＣＤＭＡ）システムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標）：Wideband CDMA）およびＣＤＭＡの他の変形態を含む。時分割多元接続（ＴＤＭＡ）システムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ＵＭＴＳ：Universal Mobile Telecommunications system）の一部である。３ＧＰＰ（登録商標）ロングタームエボリューション（ＬＴＥ）およびＬＴＥアドバンスト（ＬＴＥ−Ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ユニバーサルモバイルテレコミュニケーションズシステム（ＵＭＴＳ）、ＬＴＥ、ＬＴＥ−Ａ、およびモバイル通信用グローバルシステム（ＧＳＭ）は、「第３世代パートナーシッププロジェクト」（３ＧＰＰ）と称する組織からの文書に記載されている。ＣＤＭＡ２０００およびＵＭＢは、「第３世代パートナーシッププロジェクト２」（３ＧＰＰ２）と称する団体からの文書に記載されている。本明細書で説明される技法は、上記のシステムおよび無線技術、ならびに他のシステムおよび無線技術のために使用され得る。ただし、本明細書の説明は、例としてＬＴＥシステムについて説明し、上記の説明の大部分においてＬＴＥ用語が使用されるが、本技法はＬＴＥ適用例以外に適用可能である。
【０１２０】
[0129]本明細書で説明されるそのようなネットワークを含む、ＬＴＥ／ＬＴＥ−Ａネットワークでは、発展型ノードＢ（ｅＮＢ）という用語は、概して、基地局を表すために使用され得る。本明細書で説明される１つまたは複数のワイヤレス通信システムは、異なるタイプの発展型ノードＢ（ｅＮＢ）が様々な地理的領域にカバレージを与える異種ＬＴＥ／ＬＴＥ−Ａネットワークを含み得る。たとえば、各ｅＮＢまたは基地局は、マクロセル、スモールセル、または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る３ＧＰＰ用語である。
【０１２１】
[0130]基地局は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語を含み得るか、またはそのように当業者によって呼ばれることがある。基地局のための地理的カバレージエリアは、カバレージエリアの一部分のみを構成するセクタに分割され得る。本明細書で説明される１つまたは複数のワイヤレス通信システムは、異なるタイプの基地局１０５（たとえば、マクロセル基地局またはスモールセル基地局）を含み得る。本明細書で説明されるＵＥは、マクロｅＮＢ、スモールセルｅＮＢ、リレー基地局などを含む、様々なタイプの基地局およびネットワーク機器と通信することが可能であり得る。異なる技術のための重複する地理的カバレージエリアがあり得る。
【０１２２】
[0131]マクロセルは、概して、比較的大きい地理的エリア（たとえば、半径数キロメートル）をカバーし、サービスに加入しているＵＥによるネットワークプロバイダとの無制限アクセスを可能にし得る。スモールセルは、マクロセルと比較して、マクロセルと同じまたは異なる（たとえば、認可、無認可などの）周波数帯域内で動作し得る、低電力基地局である。スモールセルは、様々な例によれば、ピコセル、フェムトセル、およびマイクロセルを含み得る。ピコセルは、たとえば、小さい地理的エリアをカバーし得る、ネットワークプロバイダのサービスに加入しているＵＥによる無制限アクセスを可能にし得る。フェムトセルは、小さい地理的エリア（たとえば、自宅）を同じくカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数の（たとえば、２つ、３つ、４つなどの）セル（たとえば、コンポーネントキャリア）をサポートし得る。ＵＥは、マクロｅＮＢ、スモールセルｅＮＢ、リレー基地局などを含む、様々なタイプの基地局およびネットワーク機器と通信することが可能であり得る。
【０１２３】
[0132]本明細書で説明される１つまたは複数のワイヤレス通信システムは、同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明される技法は、同期動作または非同期動作のいずれかのために使用され得る。
【０１２４】
[0133]本明細書で説明されるダウンリンク送信は順方向リンク送信と呼ばれることもあり、アップリンク送信は逆方向リンク送信と呼ばれることもある。たとえば、図１および図２のワイヤレス通信システム１００および２００を含む、本明細書で説明される各通信リンクは、１つまたは複数のキャリアを含み得、ここで、各キャリアは、複数のサブキャリアからなる信号（たとえば、異なる周波数の波形信号）であり得る。各被変調信号は、異なるサブキャリア上で送られ得、制御情報（たとえば、基準信号、制御チャネルなど）、オーバーヘッド情報、ユーザデータなどを搬送し得る。本明細書で説明される通信リンク（たとえば、図１の通信リンク１２５）は、周波数分割複信（ＦＤＤ）動作を使用して（たとえば、対スペクトルリソースを使用して）または時分割複信（ＴＤＤ）動作を使用して（たとえば、不対スペクトルリソースを使用して）双方向通信を送信し得る。周波数分割複信（ＦＤＤ）（たとえば、フレーム構造タイプ１）およびＴＤＤ（たとえば、フレーム構造タイプ２）のためのフレーム構造が定義され得る。
【０１２５】
[0134]添付の図面に関して本明細書に記載される説明は、例示的な構成について説明しており、実装され得るまたは特許請求の範囲内に入るすべての例を表すとは限らない。本明細書で使用される「例示的」という用語は、「例、事例、または例示の働きをすること」を意味し、「好ましい」または「他の例よりも有利な」を意味しない。詳細な説明は、説明される技法の理解を与えるための具体的な詳細を含む。ただし、これらの技法は、これらの具体的な詳細なしに実施され得る。いくつかの事例では、説明された例の概念を不明瞭にすることを回避するために、よく知られている構造およびデバイスがブロック図の形式で示される。
【０１２６】
[0135]添付の図では、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のうちのいずれか１つに適用可能である。
【０１２７】
[0136]本明細書で説明される情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１２８】
[0137]本明細書の開示に関して説明された様々な例示的なブロックおよびモジュールは、汎用プロセッサ、ＤＳＰ、ＡＳＩＣ、ＦＰＧＡまたは他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ（たとえば、デジタル信号プロセッサ（ＤＳＰ）とマイクロプロセッサとの組合せ、複数のマイクロプロセッサ、ＤＳＰコアと連携する１つまたは複数のマイクロプロセッサ、または任意の他のそのような構成）としても実装され得る。
【０１２９】
[0138]本明細書で説明された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとして、コンピュータ可読媒体上に記憶されるか、またはコンピュータ可読媒体を介して送信され得る。他の例および実装形態は、本開示の範囲内および添付の特許請求の範囲内に入る。たとえば、ソフトウェアの性質により、上記で説明された機能は、プロセッサ、ハードウェア、ファームウェア、ハードワイヤリング、またはこれらのいずれかの組合せによって実行されるソフトウェアを使用して実装され得る。機能を実装する特徴はまた、機能の部分が、異なる物理的ロケーションにおいて実装されるように分散されることを含めて、様々な位置に物理的に配置され得る。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような包括的列挙を示す。
【０１３０】
[0139]コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、デジタル加入者回線（ＤＳＬ）、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１３１】
[0140]本明細書の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
【図１】
2020174385.tif 000003
【図２】
2020174385.tif 000004
【図３】
2020174385.tif 000005
【図４】
2020174385.tif 000006
【図５】
2020174385.tif 000007
【図６】
2020174385.tif 000008
【図７】
2020174385.tif 000009
【図８】
2020174385.tif 000010
【図９】
2020174385.tif 000011
【図１０】
2020174385.tif 000012
【図１１】
2020174385.tif 000013
【図１２】
2020174385.tif 000014
【図１３】
2020174385.tif 000015
【図１４】
2020174385.tif 000016
【図１５】
2020174385.tif 000017
【手続補正書】
【提出日】令和2年7月20日(2020.7.20)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第１の狭帯域領域と第２の狭帯域領域とを備えるキャリアを介して通信リンクを確立することと、
どの１つまたは複数のサブフレームに基準信号が存在し、どの前記第１の狭帯域領域および前記第２の狭帯域領域のうちの１つに前記基準信号が存在するかを識別することと、
前記識別に少なくとも部分的に基づいて、前記第１の狭帯域領域のための第１のサブフレーム利用可能性と前記第２の狭帯域領域のための第２のサブフレーム利用可能性とを決定することと、
前記第１のサブフレーム利用可能性に少なくとも部分的に基づいて、前記１つまたは複数のサブフレームのうちの第１のサブフレームにおいて前記第１の狭帯域領域を使用して、または前記第２のサブフレーム利用可能性に少なくとも部分的に基づいて、前記第１のサブフレームにおいて前記第２の狭帯域領域を使用してデータを通信することと
を備える、方法。
【請求項２】
前記識別が、前記キャリアの帯域幅よりも小さい帯域幅を示す基準信号構成を識別することを備える、請求項１に記載の方法。
【請求項３】
前記基準信号構成が、測位基準信号構成、発見基準信号構成、１次同期信号（ＰＳＳ）構成、２次同期信号（ＳＳＳ）構成、物理ブロードキャストチャネル（ＰＢＣＨ）構成、またはそれらの任意の組合せを備える、請求項２に記載の方法。
【請求項４】
前記識別に少なくとも部分的に基づいて、前記第１の狭帯域領域のための後続のサブフレーム利用可能性を決定すること
をさらに備える、請求項２に記載の方法。
【請求項５】
前記第１のサブフレーム利用可能性を決定することは、
サブフレームがマシンタイプ通信（ＭＴＣ）のために利用可能であると決定すること、前記サブフレームがＭＴＣのために少なくとも部分的に利用不可能であると決定すること、または前記サブフレームの一部分がＭＴＣのために利用可能であると決定すること
を備える、請求項１に記載の方法。
【請求項６】
前記第１のサブフレーム利用可能性が前記第２のサブフレーム利用可能性とは異なる、請求項１に記載の方法。
【請求項７】
サブフレーム利用可能性の指示を受信すること
をさらに備え、前記指示は、帯域幅、繰返しパターン、および周期性をもつ１つまたは複数の基準信号の構成であり、ここにおいて、前記第１のサブフレーム利用可能性または前記第２のサブフレーム利用可能性が、前記受信された指示に少なくとも部分的に基づいて決定される、請求項１に記載の方法。
【請求項８】
サブフレーム利用可能性の指示を受信すること
をさらに備え、前記指示が、前記第２のサブフレーム利用可能性とは別々に前記第１のサブフレーム利用可能性を示す構成である、請求項１に記載の方法。
【請求項９】
前記第１のサブフレーム利用可能性を決定することは、
第１の基準信号に少なくとも部分的に基づいて、サブフレームが前記第１の狭帯域領域のために利用可能であると決定すること
を備え、
ここにおいて、前記第２のサブフレーム利用可能性を決定することは、第２の基準信号に少なくとも部分的に基づいて、前記サブフレームが前記第２の狭帯域領域のために少なくとも部分的に利用不可能であると決定することを備える、
請求項１に記載の方法。
【請求項１０】
前記第１の基準信号がセル固有であり、前記第２の基準信号がユーザ機器（ＵＥ）固有である、請求項９に記載の方法。
【請求項１１】
前記第１のサブフレーム利用可能性に少なくとも部分的に基づいて、送信時間間隔（ＴＴＩ）バンドリング構成がサブフレームを含むかどうかを決定すること
をさらに備える、請求項１に記載の方法。
【請求項１２】
前記第１のサブフレーム利用可能性に少なくとも部分的に基づいて、送信時間間隔（ＴＴＩ）バンドリング構成を決定すること
をさらに備える、請求項１に記載の方法。
【請求項１３】
前記第１のサブフレーム利用可能性に少なくとも部分的に基づいて、前記ＴＴＩバンドリング構成のための周波数ホッピング構成を識別すること
をさらに備える、請求項１２に記載の方法。
【請求項１４】
スケジュールされたトラフィックがユニキャストであるのかブロードキャストであるのかを決定すること
をさらに備え、ここにおいて、前記第１のサブフレーム利用可能性は、前記スケジュールされたトラフィックがユニキャストであるのかブロードキャストであるのかに少なくとも部分的に基づいて決定される、
請求項１に記載の方法。
【請求項１５】
前記スケジュールされたトラフィックがブロードキャストトラフィックであると決定することと、ここにおいて、前記第１のサブフレーム利用可能性を決定することは、前記ブロードキャストトラフィックに少なくとも部分的に基づいて、サブフレームがマシンタイプ通信（ＭＴＣ）のために利用可能であると決定することを備える、
前記ブロードキャストトラフィックに少なくとも部分的に基づいて、前記スケジュールされたトラフィックをレートマッチングすることと
をさらに備える、請求項１４に記載の方法。
【請求項１６】
前記スケジュールされたトラフィックがユニキャストトラフィックであると決定すること
をさらに備え、ここにおいて、前記第１のサブフレーム利用可能性を決定することは、前記ユニキャストトラフィックに少なくとも部分的に基づいて、サブフレームがマシンタイプ通信（ＭＴＣ）のために少なくとも部分的に利用不可能であると決定することを備える、
請求項１４に記載の方法。
【請求項１７】
前記スケジュールされたトラフィックがブロードキャストトラフィックであると決定すること
をさらに備え、ここにおいて、前記第１のサブフレーム利用可能性を決定することは、前記ブロードキャストトラフィックに少なくとも部分的に基づいて、サブフレームが狭帯域通信のために少なくとも部分的に利用不可能であると決定することを備える、
請求項１４に記載の方法。
【請求項１８】
システム帯域幅がしきい値よりも小さいと決定すること
をさらに備え、ここにおいて、前記第１のサブフレーム利用可能性を決定することは、前記システム帯域幅が前記しきい値よりも小さいと決定することに少なくとも部分的に基づいて、サブフレームがページングトラフィックのために少なくとも部分的に利用不可能であると決定することを備える、
請求項１に記載の方法。
【請求項１９】
前記スケジュールされたトラフィックがユニキャストであるのかブロードキャストであるのかを決定することに少なくとも部分的に基づいて、周波数ホッピング構成を決定すること
をさらに備える、請求項１４に記載の方法。
【請求項２０】
ワイヤレス通信のための装置であって、
第１の狭帯域領域と第２の狭帯域領域とを備えるキャリアを介して通信リンクを確立するための手段と、
どの１つまたは複数のサブフレームに基準信号が存在し、どの前記第１の狭帯域領域および前記第２の狭帯域領域のうちの１つに前記基準信号が存在するかを識別するための手段と、
前記識別に少なくとも部分的に基づいて、前記第１の狭帯域領域のための第１のサブフレーム利用可能性と前記第２の狭帯域領域のための第２のサブフレーム利用可能性とを決定するための手段と、
前記第１のサブフレーム利用可能性に少なくとも部分的に基づいて、前記１つまたは複数のサブフレームのうちの第１のサブフレームにおいて前記第１の狭帯域領域を使用して、または前記第２のサブフレーム利用可能性に少なくとも部分的に基づいて、前記第１のサブフレームにおいて前記第２の狭帯域領域を使用してデータを通信するための手段と
を備える、装置。
【請求項２１】
ワイヤレス通信のための装置であって、
プロセッサと、
前記プロセッサに結合されたメモリと、
前記メモリに記憶され、前記プロセッサによって実行されたとき、前記装置に、
第１の狭帯域領域と第２の狭帯域領域とを備えるキャリアを介して通信リンクを確立することと、
どの１つまたは複数のサブフレームに基準信号が存在し、どの前記第１の狭帯域領域および前記第２の狭帯域領域のうちの１つに前記基準信号が存在するかを識別することと、
前記識別に少なくとも部分的に基づいて、前記第１の狭帯域領域のための第１のサブフレーム利用可能性と前記第２の狭帯域領域のための第２のサブフレーム利用可能性とを決定することと、
前記第１のサブフレーム利用可能性に少なくとも部分的に基づいて、前記１つまたは複数のサブフレームのうちの第１のサブフレームにおいて前記第１の狭帯域領域を使用して、または前記第２のサブフレーム利用可能性に少なくとも部分的に基づいて、前記第１のサブフレームにおいて前記第２の狭帯域領域を使用してデータを通信することと
を行わせるように動作可能な命令と
を備える、装置。
【請求項２２】
前記命令が、前記装置に、
前記識別に少なくとも部分的に基づいて、前記第１の狭帯域領域のための後続のサブフレーム利用可能性を決定すること
を行わせるように動作可能である、請求項２１に記載の装置。
【請求項２３】
前記命令が、前記装置に、
サブフレームがＭＴＣのために利用可能であると決定すること、前記サブフレームがＭＴＣのために少なくとも部分的に利用不可能であると決定すること、または前記サブフレームの一部分がＭＴＣのために利用可能であると決定すること
を行わせるように動作可能である、請求項２１に記載の装置。
【請求項２４】
前記命令が、前記装置に、
サブフレーム利用可能性の指示を受信すること
を行わせるように動作可能であり、前記指示は、帯域幅、繰返しパターン、および周期性をもつ１つまたは複数の基準信号の構成であり、ここにおいて、前記第１のサブフレーム利用可能性または前記第２のサブフレーム利用可能性が、前記受信された指示に少なくとも部分的に基づいて決定される、請求項２１に記載の装置。
【請求項２５】
前記命令が、前記装置に、
第１の基準信号に少なくとも部分的に基づいて、サブフレームが前記第１の狭帯域領域のために利用可能であると決定することと、
第２の基準信号に少なくとも部分的に基づいて、前記サブフレームが前記第２の狭帯域領域のために少なくとも部分的に利用不可能であると決定することと
を行わせるように動作可能である、請求項２１に記載の装置。
【請求項２６】
前記命令が、前記装置に、
前記第１のサブフレーム利用可能性に少なくとも部分的に基づいて、送信時間間隔（ＴＴＩ）バンドリング構成がサブフレームを含むかどうかを決定すること
を行わせるように動作可能である、請求項２１に記載の装置。
【請求項２７】
前記命令が、前記装置に、
前記第１のサブフレーム利用可能性に少なくとも部分的に基づいて、送信時間間隔（ＴＴＩ）バンドリング構成を決定すること
を行わせるように動作可能である、請求項２１に記載の装置。
【請求項２８】
ワイヤレス通信のためのコードを記憶する非一時的コンピュータ可読媒体であって、前記コードが、
第１の狭帯域領域と第２の狭帯域領域とを備えるキャリアを介して通信リンクを確立することと、
どの１つまたは複数のサブフレームに基準信号が存在し、どの前記第１の狭帯域領域および前記第２の狭帯域領域のうちの１つに前記基準信号が存在するかを識別することと、
前記識別に少なくとも部分的に基づいて、前記第１の狭帯域領域のための第１のサブフレーム利用可能性と前記第２の狭帯域領域のための第２のサブフレーム利用可能性とを決定することと、
前記第１のサブフレーム利用可能性に少なくとも部分的に基づいて、前記１つまたは複数のサブフレームのうちの第１のサブフレームにおいて前記第１の狭帯域領域を使用して、または前記第２のサブフレーム利用可能性に少なくとも部分的に基づいて、前記第１のサブフレームにおいて前記第２の狭帯域領域を使用してデータを通信することと
を行うために実行可能な命令を備える、装置。
【請求項２９】
前記第１の狭帯域領域が、リソースブロックの第１のセットを備え、前記第２の狭帯域領域が、リソースブロックの前記第１のセットとは異なるリソースブロックブロックの第２のセットを備える、請求項１に記載の方法。
【請求項３０】
前記第１のサブフレーム利用可能性を決定することが、
前記サブフレーム中の前記第１の狭帯域領域と重複する少なくとも１つの基準信号に少なくとも部分的に基づいて、前記第１のサブフレームが利用不可能であると決定すること
をさらに備える、請求項１に記載の方法。
【請求項３１】
基準信号構成を備えるサブフレーム利用可能性の指示を受信すること
をさらに備える、請求項１に記載の方法。
【請求項３２】
前記第１の狭帯域領域のための前記第１のサブフレーム利用可能性を決定することは、
前記基準信号が前記第１のサブフレームの前記第１の狭帯域領域内に存在しないと識別することに少なくとも部分的に基づいて、前記第１のサブフレームの前記第１の狭帯域領域が利用可能であると決定すること
をさらに備え、前記データが、前記第１のサブフレームの前記第１の狭帯域領域内で通信される、請求項１に記載の方法。
【手続補正２】
【補正対象書類名】明細書
【補正対象項目名】０１３１
【補正方法】変更
【補正の内容】
【０１３１】
[0140]本明細書の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
以下に本願の出願当初の特許請求の範囲に記載された発明を付記する。
［Ｃ１］
ワイヤレス通信の方法であって、
第１の狭帯域領域と第２の狭帯域領域とを備えるキャリアを介して通信リンクを確立することと、
前記第１の狭帯域領域のための第１のサブフレーム利用可能性と前記第２の狭帯域領域のための第２のサブフレーム利用可能性とを決定することと、
前記第１のサブフレーム利用可能性に少なくとも部分的に基づいて前記第１の狭帯域領域を使用して、または前記第２のサブフレーム利用可能性に少なくとも部分的に基づいて前記第２の狭帯域領域を使用して通信することと
を備える、方法。
［Ｃ２］
チャネル構成を識別すること
をさらに備え、ここにおいて、前記第１のサブフレーム利用可能性と前記第２のサブフレーム利用可能性とが、前記チャネル構成に少なくとも部分的に基づいて決定される、
Ｃ１に記載の方法。
［Ｃ３］
前記チャネル構成が、前記キャリアの帯域幅よりも小さい帯域幅を有する基準信号構成である、Ｃ２に記載の方法。
［Ｃ４］
前記基準信号構成が、測位基準信号構成、発見基準信号構成、１次同期信号（ＰＳＳ）構成、２次同期信号（ＳＳＳ）構成、物理ブロードキャストチャネル（ＰＢＣＨ）構成、またはそれらの任意の組合せを備える、Ｃ３に記載の方法。
［Ｃ５］
前記チャネル構成に少なくとも部分的に基づいて、前記第１の狭帯域領域のための後続のサブフレーム利用可能性を決定すること
をさらに備える、Ｃ２に記載の方法。
［Ｃ６］
前記第１のサブフレーム利用可能性を決定することは、
サブフレームがマシンタイプ通信（ＭＴＣ）のために利用可能であると決定すること、前記サブフレームがＭＴＣのために少なくとも部分的に利用不可能であると決定すること、または前記サブフレームの一部分がＭＴＣのために利用可能であると決定すること
を備える、Ｃ１に記載の方法。
［Ｃ７］
前記第１のサブフレーム利用可能性が前記第２のサブフレーム利用可能性とは異なる、Ｃ１に記載の方法。
［Ｃ８］
サブフレーム利用可能性の指示を受信すること
をさらに備え、ここにおいて、前記第１のサブフレーム利用可能性または前記第２のサブフレーム利用可能性が、前記受信された指示に少なくとも部分的に基づいて決定される、Ｃ１に記載の方法。
［Ｃ９］
前記指示が、帯域幅、繰返しパターン、および周期性をもつ１つまたは複数の基準信号の構成、または前記第２のサブフレーム利用可能性とは別々に前記第１のサブフレーム利用可能性を示す構成のうちの少なくとも１つである、Ｃ８に記載の方法。
［Ｃ１０］
前記第１のサブフレーム利用可能性を決定することは、
第１の基準信号に少なくとも部分的に基づいて、サブフレームが前記第１の狭帯域領域のために利用可能であると決定すること
を備え、
ここにおいて、前記第２のサブフレーム利用可能性を決定することは、第２の基準信号に少なくとも部分的に基づいて、前記サブフレームが前記第２の狭帯域領域のために少なくとも部分的に利用不可能であると決定することを備える、
Ｃ１に記載の方法。
［Ｃ１１］
前記第１の基準信号がセル固有であり、前記第２の基準信号がユーザ機器（ＵＥ）固有である、Ｃ１０に記載の方法。
［Ｃ１２］
前記第１のサブフレーム利用可能性に少なくとも部分的に基づいて、送信時間間隔（ＴＴＩ）バンドリング構成がサブフレームを含むかどうかを決定すること
をさらに備える、Ｃ１に記載の方法。
［Ｃ１３］
前記第１のサブフレーム利用可能性に少なくとも部分的に基づいて、送信時間間隔（ＴＴＩ）バンドリング構成を決定すること
をさらに備える、Ｃ１に記載の方法。
［Ｃ１４］
前記第１のサブフレーム利用可能性に少なくとも部分的に基づいて、前記ＴＴＩバンドリング構成のための周波数ホッピング構成を識別すること
をさらに備える、Ｃ１３に記載の方法。
［Ｃ１５］
スケジュールされたトラフィックがユニキャストであるのかブロードキャストであるのかを決定すること
をさらに備え、ここにおいて、前記第１のサブフレーム利用可能性は、前記スケジュールされたトラフィックがユニキャストであるのかブロードキャストであるのかに少なくとも部分的に基づいて決定される、
Ｃ１に記載の方法。
［Ｃ１６］
前記スケジュールされたトラフィックがブロードキャストトラフィックであると決定することと、ここにおいて、前記第１のサブフレーム利用可能性を決定することは、前記ブロードキャストトラフィックに少なくとも部分的に基づいて、サブフレームがマシンタイプ通信（ＭＴＣ）のために利用可能であると決定することを備える、
前記ブロードキャストトラフィックに少なくとも部分的に基づいて、前記スケジュールされたトラフィックをレートマッチングすることと
をさらに備える、Ｃ１５に記載の方法。
［Ｃ１７］
前記スケジュールされたトラフィックがユニキャストトラフィックであると決定すること
をさらに備え、ここにおいて、前記第１のサブフレーム利用可能性を決定することは、前記ユニキャストトラフィックに少なくとも部分的に基づいて、サブフレームがマシンタイプ通信（ＭＴＣ）のために少なくとも部分的に利用不可能であると決定することを備える、
Ｃ１５に記載の方法。
［Ｃ１８］
前記スケジュールされたトラフィックがブロードキャストトラフィックであると決定すること
をさらに備え、ここにおいて、前記第１のサブフレーム利用可能性を決定することは、前記ブロードキャストトラフィックに少なくとも部分的に基づいて、サブフレームが狭帯域通信のために少なくとも部分的に利用不可能であると決定することを備える、
Ｃ１５に記載の方法。
［Ｃ１９］
システム帯域幅がしきい値よりも小さいと決定すること
をさらに備え、ここにおいて、前記第１のサブフレーム利用可能性を決定することは、前記システム帯域幅が前記しきい値よりも小さいと決定することに少なくとも部分的に基づいて、サブフレームがページングトラフィックのために少なくとも部分的に利用不可能であると決定することを備える、
Ｃ１に記載の方法。
［Ｃ２０］
前記スケジュールされたトラフィックがユニキャストであるのかブロードキャストであるのかを決定することに少なくとも部分的に基づいて、周波数ホッピング構成を決定すること
をさらに備える、Ｃ１５に記載の方法。
［Ｃ２１］
ワイヤレス通信のための装置であって、
第１の狭帯域領域と第２の狭帯域領域とを備えるキャリアを介して通信リンクを確立するための手段と、
前記第１の狭帯域領域のための第１のサブフレーム利用可能性と前記第２の狭帯域領域のための第２のサブフレーム利用可能性とを決定するための手段と、
前記第１のサブフレーム利用可能性に少なくとも部分的に基づいて前記第１の狭帯域領域を使用して、または前記第２のサブフレーム利用可能性に少なくとも部分的に基づいて前記第２の狭帯域領域を使用して通信するための手段と
を備える、装置。
［Ｃ２２］
チャネル構成を識別するための手段
をさらに備え、ここにおいて、前記第１のサブフレーム利用可能性と前記第２のサブフレーム利用可能性とが、前記チャネル構成に少なくとも部分的に基づいて決定される、
Ｃ２１に記載の装置。
［Ｃ２３］
サブフレーム利用可能性の指示を受信するための手段
をさらに備え、ここにおいて、前記第１のサブフレーム利用可能性または前記第２のサブフレーム利用可能性が、前記受信された指示に少なくとも部分的に基づいて決定される、Ｃ２１に記載の装置。
［Ｃ２４］
前記第１のサブフレーム利用可能性に少なくとも部分的に基づいて、送信時間間隔（ＴＴＩ）バンドリング構成がサブフレームを含むかどうかを決定するための手段
をさらに備える、Ｃ２１に記載の装置。
［Ｃ２５］
前記第１のサブフレーム利用可能性に少なくとも部分的に基づいて、ＴＴＩバンドリング構成を決定するための手段
をさらに備える、Ｃ２１に記載の装置。
［Ｃ２６］
スケジュールされたトラフィックがユニキャストであるのかブロードキャストであるのかを決定するための手段
をさらに備え、ここにおいて、前記第１のサブフレーム利用可能性は、前記スケジュールされたトラフィックがユニキャストであるのかブロードキャストであるのかに少なくとも部分的に基づいて決定される、
Ｃ２１に記載の装置。
［Ｃ２７］
ワイヤレス通信のための装置であって、
プロセッサと、
前記プロセッサと電子通信しているメモリと、
前記メモリに記憶され、前記プロセッサによって実行されたとき、前記装置に、
第１の狭帯域領域と第２の狭帯域領域とを備えるキャリアを介して通信リンクを確立することと、
前記第１の狭帯域領域のための第１のサブフレーム利用可能性と前記第２の狭帯域領域のための第２のサブフレーム利用可能性とを決定することと、
前記第１のサブフレーム利用可能性に少なくとも部分的に基づいて前記第１の狭帯域領域を使用して、または前記第２のサブフレーム利用可能性に少なくとも部分的に基づいて前記第２の狭帯域領域を使用して通信することと
を行わせるように動作可能な命令と
を備える、装置。
［Ｃ２８］
前記命令が、前記装置に、
チャネル構成を識別すること
を行わせるように動作可能であり、ここにおいて、前記第１のサブフレーム利用可能性と前記第２のサブフレーム利用可能性とが、前記チャネル構成に少なくとも部分的に基づいて決定される、
Ｃ２７に記載の装置。
［Ｃ２９］
前記命令が、前記装置に、
前記チャネル構成に少なくとも部分的に基づいて、前記第１の狭帯域領域のための後続のサブフレーム利用可能性を決定すること
を行わせるように動作可能である、Ｃ２８に記載の装置。
［Ｃ３０］
ワイヤレス通信のためのコードを記憶する非一時的コンピュータ可読媒体であって、前記コードが、
第１の狭帯域領域と第２の狭帯域領域とを備えるキャリアを介して通信リンクを確立することと、
前記第１の狭帯域領域のための第１のサブフレーム利用可能性と前記第２の狭帯域領域のための第２のサブフレーム利用可能性とを決定することと、
前記第１のサブフレーム利用可能性に少なくとも部分的に基づいて前記第１の狭帯域領域を使用して、または前記第２のサブフレーム利用可能性に少なくとも部分的に基づいて前記第２の狭帯域領域を使用して通信することと
を行うために実行可能な命令を備える、装置。
【外国語明細書】
2020174385000001.pdf